(57)【要約】複数の干渉仮定を伴うＣＳＩフィードバックのための方法、無線デバイス及びネットワークノードが開示される。一態様によると、無線デバイス（ＷＤ）により実行される方法は、チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含むチャネル状態情報（ＣＳＩ）測定のための構成を受信することを含み、第１ＮＺＰ  ＣＳＩ−ＲＳリソースセットは、１つのＮＺＰ  ＣＳＩ−ＲＳリソースのみを含む。方法は、第１ＮＺＰ  ＣＳＩ−ＲＳリソースセット及び第２ＮＺＰ  ＣＳＩ−ＲＳリソースセットに基づいてＣＳＩを測定することも含む。
2021521662.tif 000002
【特許請求の範囲】
【請求項１】
無線デバイス（ＷＤ）（２２）で実行される方法であって、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を受信（Ｓ１３８）することであって、前記第１ＮＺＰ  ＣＳＩ−ＲＳリソースセットは、１つのＮＺＰ  ＣＳＩ−ＲＳリソースのみを含む、前記受信（Ｓ１３８）することと、
前記第１ＮＺＰ  ＣＳＩ−ＲＳリソースセット及び前記第２ＮＺＰ  ＣＳＩ−ＲＳリソースセットに基づいてＣＳＩを測定（Ｓ１４０）することと、
を含む方法。
【請求項２】
請求項１に記載の方法であって、
前記ＣＳＩ測定は、前記第１ＮＺＰ  ＣＳＩ−ＲＳリソースセットに基づくチャネル測定と、前記第２ＮＺＰ  ＣＳＩ−ＲＳリソースセットに基づく干渉測定と、を含む方法。
【請求項３】
請求項１又は２に記載の方法であって、
前記ＣＳＩ測定は、前記第２ＮＺＰ  ＣＳＩ−ＲＳリソースセット内の１つ又は複数のＮＺＰ  ＣＳＩ−ＲＳリソースのそれぞれに対する総ての干渉を考慮する、方法。
【請求項４】
請求項１に記載の方法であって、さらに、
測定された前記チャネル状態情報（ＣＳＩ）を報告することを含む、方法。
【請求項５】
処理回路（８４）を備えた無線デバイス（ＷＤ）（２２）であって、
前記処理回路（８４）は、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を受信することであって、前記第１ＮＺＰ  ＣＳＩ−ＲＳリソースセットは、１つのＮＺＰ  ＣＳＩ−ＲＳリソースのみを含む、前記受信することと、
前記第１ＮＺＰ  ＣＳＩ−ＲＳリソースセット及び前記第２ＮＺＰ  ＣＳＩ−ＲＳリソースセットに基づいてＣＳＩを測定することと、
を行う様に構成される、ＷＤ。
【請求項６】
請求項５に記載のＷＤ（２２）であって、
前記ＣＳＩ測定は、前記第１ＮＺＰ  ＣＳＩ−ＲＳリソースセットに基づくチャネル測定と、前記第２ＮＺＰ  ＣＳＩ−ＲＳリソースセットに基づく干渉測定と、を含むＷＤ。
【請求項７】
請求項５又は６に記載のＷＤ（２２）であって、
前記ＣＳＩ測定は、前記第２ＮＺＰ  ＣＳＩ−ＲＳリソースセット内の１つ又は複数のＮＺＰ  ＣＳＩ−ＲＳリソースのそれぞれに対する総ての干渉を考慮する、ＷＤ。
【請求項８】
請求項５に記載のＷＤ（２２）であって、
前記処理回路（８４）は、さらに、測定された前記チャネル状態情報（ＣＳＩ）を報告する様に構成される、ＷＤ。
【請求項９】
ネットワークノードで実行される方法であって、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を送信（Ｓ１３４）することであって、前記第１ＮＺＰ  ＣＳＩ−ＲＳリソースセットは、１つのＮＺＰ  ＣＳＩ−ＲＳリソースのみを含む、前記送信（Ｓ１３４）することと、
前記第１ＮＺＰ  ＣＳＩ−ＲＳリソースセット及び前記第２ＮＺＰ  ＣＳＩ−ＲＳリソースセットに基づき測定されたＣＳＩをＷＤから受信（Ｓ１３６）することと、
を含む方法。
【請求項１０】
請求項９に記載の方法であって、
前記ＣＳＩ測定は、前記第１ＮＺＰ  ＣＳＩ−ＲＳリソースセットに基づくチャネル測定と、前記第２ＮＺＰ  ＣＳＩ−ＲＳリソースセットに基づく干渉測定と、を含む方法。
【請求項１１】
請求項９又は１０に記載の方法であって、
前記ＣＳＩ測定は、前記第２ＮＺＰ  ＣＳＩ−ＲＳリソースセット内の１つ又は複数のＮＺＰ  ＣＳＩ−ＲＳリソースのそれぞれに対する総ての干渉を考慮する、方法。
【請求項１２】
処理回路（６８）を含むネットワークノード（１６）であって、
前記処理回路（６８）は、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を無線デバイス（ＷＤ）（２２）に送信することであって、前記第１ＮＺＰ  ＣＳＩ−ＲＳリソースセットは、１つのＮＺＰ  ＣＳＩ−ＲＳリソースのみを含む、前記送信することと、
前記第１ＮＺＰ  ＣＳＩ−ＲＳリソースセット及び前記第２ＮＺＰ  ＣＳＩ−ＲＳリソースセットに基づき測定されたＣＳＩを前記ＷＤから受信することと、
を行う様に構成される、ネットワークノード。
【請求項１３】
請求項１２に記載のネットワークノードであって、
前記ＣＳＩ測定は、前記第１ＮＺＰ  ＣＳＩ−ＲＳリソースセットに基づくチャネル測定と、前記第２ＮＺＰ  ＣＳＩ−ＲＳリソースセットに基づく干渉測定と、を含むネットワークノード。
【請求項１４】
請求項１２又は１３に記載のネットワークノードであって、
前記ＣＳＩ測定は、前記第２ＮＺＰ  ＣＳＩ−ＲＳリソースセット内の１つ又は複数のＮＺＰ  ＣＳＩ−ＲＳリソースのそれぞれに対する総ての干渉を考慮する、ネットワークノード。
【発明の詳細な説明】
【技術分野】
【０００１】
本開示は、無線通信に関し、特に、複数の干渉仮定を伴うチャネル状態情報（ＣＳＩ）フィードバックに関する。
【背景技術】
【０００２】
次世代のモバイル無線通信システム（５Ｇ）又はニューレディオ（ＮＲ）は、様々なユースケースセット及び様々な配置シナリオセットをサポートする。後者は、既存のロングタームエボリューション（ＬＴＥ）技術に似た低周波数（例えば、１００メガヘルツ）と、非常に高い周波数（例えば、数十ＧＨｚのミリ波）の両方の配置を含み得る。
【０００３】
ＬＴＥと同様に、例えばＮＲの様な無線通信ネットワークは、ダウンリンク（ＤＬ）、すなわち、ネットワークノード、例えばｇＮＢ、ｅＮＢ及び／又は基地局からユーザ装置（ＵＥ）及び／又は無線デバイス（ＷＤ）への方向において、直交周波数分割多重（ＯＦＤＭ）を使用し得る。アップリンク（ＵＬ）、つまりＵＥ及び／又はＷＤからネットワークノード及び／又は基地局（例えばｇＮＢ）の方向においては、ＯＦＤＭと、ＬＴＥのシングルキャリア周波数分割多重アクセス（ＳＣ−ＦＤＭＡ）としても知られる離散フーリエ変換（ＤＦＴ）−拡散ＯＦＤＭ（ＤＦＴ−Ｓ−ＯＦＤＭ）の両方がサポートされ得る。従って、基本的なＮＲ物理リソースは、例えば、図１に示される様な時間−周波数グリッドとして見做すことができ、ここでは、１４シンボルスロットのリソースブロック（ＲＢ）を示している。リソースブロックは、周波数領域における１２個の連続するサブキャリアに対応し得る。周波数領域においてリソースブロックには、システム帯域幅の一端から０で開始する番号が振られる。各リソース要素（ＲＥ）は、１つのＯＦＤＭシンボル間隔中の１つのＯＦＤＭサブキャリアに対応し得る。
【０００４】
便宜上、ＷＤという用語を使用するが、ＷＤ及び／又はＵＥという用語は、本明細書では互換的に使用され得ることを理解されたい。
【０００５】
ＮＲでは、様々なサブキャリア間隔値がサポートされる。サポートされるサブキャリア間隔値（異なるヌメロロジーとも呼ばれる）は、Δｆ＝（１５×２α）ｋＨｚによって与えられ、αは非負の整数であり、Δｆ＝１５ｋＨｚは、ＬＴＥでも使用される基本（又は参照）サブキャリア間隔と見なされ得る。
【０００６】
時間領域において、ＮＲのダウンリンク及びアップリンク送信は、ＬＴＥと同様に、それぞれが１ｍｓの等しいサイズのサブフレームに編成され得る。サブフレームは、同じ期間の複数のスロットにさらに分割され得る。異なるサブキャリア間隔でのスロット長が、例えば、表１に示されている。Δｆ＝１５ｋＨｚでは、サブフレーム当たり１つのスロットのみが存在し、スロットは１４個のＯＦＤＭシンボルを含み得る。
【０００７】
【表１】
2021521662.tif 000003
【０００８】
ＮＲにおけるデータスケジューリングは、スロットベースで実行されることが理解される。１４シンボルの例を図２に示し、そこでは、最初の２つのシンボルが制御チャネル（例えば、物理ダウンリンク制御チャネル（ＰＤＣＣＨ））を含み、残りのシンボルはデータチャネル（例えば、物理ダウンリンク共有チャネル（ＰＤＳＣＨ））を含む。
【０００９】
ダウンリンク送信は動的にスケジュールされる、つまり、各スロットにおいて、ネットワークノード（例えば、ｇＮＢ）は、どのＷＤにデータが送信され、現在のダウンリンクスロットのどのリソースブロックでデータを送信するかについてのダウンリンク制御情報（ＤＣＩ）を送信し得る。この制御シグナリングは、通常、ＮＲの各スロットの最初の１つ又は２つのＯＦＤＭシンボルで送信される。制御情報は、ＰＤＣＣＨで搬送され、データは、ＰＤＳＣＨで搬送され得る。ＷＤは、最初にＰＤＣＣＨを検出及び復号し、ＰＤＣＣＨを正常に復号すると、ＷＤは、ＰＤＣＣＨ内の復号された制御情報に基づいて対応するＰＤＳＣＨを復号し得る。
【００１０】
アップリンクデータ送信も、ＰＤＣＣＨを使用して動的にスケジュールされ得る。ダウンリンクと同様に、ＷＤは、まずＰＤＣＣＨでアップリンクグラントを復号し、次に、変調次数、符号化レート、アップリンクリソース割り当て等の、アップリンクグラントで復号された制御情報に基づき、物理アップリンク共有チャネル（ＰＵＳＣＨ）でデータを送信し得る。
【００１１】
空間多重化
マルチアンテナ技術は、無線通信システムのデータレート及び信頼性を非常に増加させることができる。送信機及び受信機の両方が複数のアンテナを有する場合、多入力多出力（ＭＩＭＯ）通信チャネルが形成され、パフォーマンスは、特に改善され得る。その様なシステム及び／又は関連技術は、通常、ＭＩＭＯとして参照される。
【００１２】
ＬＴＥ及びＮＲのコンポーネントは、ＭＩＭＯアンテナ配置とＭＩＭＯ関連技術のサポートである。空間多重化は、良好なチャネル条件で高いデータレートを実現するために使用されるＭＩＭＯ技術の１つである。図３は、空間多重化動作を示している。
【００１３】
図３に示す様に、例えば、シンボルベクトルｓ＝｛ｓ１，ｓ２，・・・，ｓ３｝Ｔを搬送する情報は、ＮＴ×ｒのプリコーダ行列Ｗにより乗算され、これは、ＮＴ（ＮＴアンテナポートに対応）次元ベクトル空間の部分空間に送信エネルギを分配する。プリコーダ行列は、通常、可能なプリコーダ行列のコードブックから選択され、通常、プリコーダ行列インジケータ（ＰＭＩ）によって示され、ＰＭＩは、所定数のシンボルストリームに対してコードブック内の一意のプリコーダ行列を指定する。ベクトルｓのｒ個のシンボルは、それぞれレイヤに対応し、ｒは送信ランクとして参照され得る。この様に、同じ時間／周波数リソース要素（ＲＥ）で複数のシンボルを同時に送信できるため、空間多重化が実現され得る。通常、シンボル数ｒは、現在のチャネルプロパティに合わせて調整される。
【００１４】
特定のＲＥ  ｎにおいて、ＮＲ個の受信アンテナを有するＷＤでの受信信号は、
ｙｎ＝ＨｎＷｓ＋ｅｎ
で与えられ、ここで、ｙｎはＮＲ×１の受信信号ベクトルであり、ＨｎはＲＥでのＮＲ×ＮＴのチャネル行列であり、ｅｎはＷＤがＲＥで受信したＮＲ×１のノイズ及び干渉ベクトルである。プリコーダＷは、広帯域プリコーダとすることができ、広帯域プリコーダは、周波数に対して一定であるか、周波数選択的、つまり、周波数により異なり得る。
【００１５】
プリコーダ行列は、しばしば、ＮＲ×ＮＴのＭＩＭＯチャネル行列Ｈｎの特性に一致する様に選択され、その結果、所謂、チャネル依存プリコーディングとなる。これは一般に閉ループプリコーディングとも呼ばれ、送信エネルギの多くをＷＤに伝達するという意味で強力な部分空間に送信エネルギを集中させる。さらに、プリコーダ行列は、チャネルを直交化するために選択され、これは、ＷＤでの適切な線形等化の後、レイヤ間干渉が減少することを意味する。
【００１６】
送信ランク、従って空間的に多重化されるレイヤ数は、プリコーダの列数に反映され得る。送信ランクは、ＷＤで観測された信号対雑音及び干渉比（ＳＩＮＲ）にも依存し得る。通常、より高いランクの送信には、より高いＳＩＮＲが必要である。効率的なパフォーマンスのため、チャネルプロパティ及び干渉に一致する送信ランクを選択することが重要である。プリコーディング行列、送信ランク、及び、チャネル品質は、通常、ＷＤによって測定され、ネットワークノード（例えば、ｇＮＢ）にフィードバックされるチャネル状態情報（ＣＳＩ）の一部である。
【００１７】
ＣＳＩフィードバック
ＣＳＩフィードバックのため、ＬＴＥと同様に、ＮＲは暗黙のＣＳＩメカニズムを採用しており、ダウンリンクのチャネル状態情報のＷＤによるフィードバックは、送信ランクインジケータ（ＲＩ）、プリコーダ行列インジケータ（ＰＭＩ）、及び、１つ又は２つのチャネル品質インジケーター（ＣＱＩ）に関連し得る。ＣＱＩ／ＲＩ／ＰＭＩレポートは、構成に基づいてワイドバンド又はサブバンドのいずれかになり得る。
【００１８】
ＲＩは、空間的に多重化され、従って有効チャネルを介して並行して送信されるレイヤの推奨数に対応し得る。ＰＭＩは、推奨されるプリコーダを識別するために考慮され得る。ＣＱＩは、各トランスポートブロックの推奨される変調レベル（例えば、ＱＰＳＫ、１６ＱＡＭ等）及びコーディングレートを表すものとして考慮され得る。ＮＲは、スロットにおいて、ＷＤへの１つ又は２つのトランスポートブロックの送信をサポートする。従って、１つ又は複数のトランスポートブロックが送信される空間レイヤのＣＱＩとＳＩＮＲとの間には関係性があり得る。
【００１９】
チャネル状態情報参照信号（ＣＳＩ−ＲＳ）
ＬＴＥと同様に、ＮＲでは、ダウンリンクのチャネル推定のために、ＣＳＩ−ＲＳが導入さている。ＣＳＩ−ＲＳは、各送信アンテナ（又はアンテナポート）上で送信され、各アンテナポートに関連付けられたダウンリンクチャネルを測定するためにＷＤによって使用され得る。最大３２のＣＳＩ参照信号が定義され得る。アンテナポートは、ＣＳＩ−ＲＳポートとしても参照され得る。ＮＲでサポートされるアンテナポートの数は、｛１、２、４、８、１２、１６、２４、３２｝であり得る。受信したＣＳＩ−ＲＳを測定することにより、ＷＤは、無線伝搬チャネルとアンテナゲインとを含む、ＣＳＩ−ＲＳが通過したチャネルを推定できる。ＣＳＩ−ＲＳは、非ゼロ電力（ＮＺＰ）ＣＳＩ−ＲＳとしても参照され得る。
【００２０】
ＣＳＩ−ＲＳは、特定のＲＥ及びスロットで送信され得る。図４は、１２アンテナポートのＣＳＩ−ＲＳのためのＲＥの例を示し、ポート毎のＲＢ当たり１つのＲＥが示されている。
【００２１】
ＮＲには、ＮＺＰ  ＣＳＩ−ＲＳに加えて、ゼロ電力（ＺＰ）ＣＳＩ−ＲＳが導入されている。その目的は、関連付けられたＲＥがネットワークノード（例えば、ｅＮＢ）でミュートされていることをＷＤに示すことである。ＺＰ  ＣＳＩ−ＲＳが隣接セルのＮＺＰ  ＣＳＩ−ＲＳと完全に重複する様に割り当てられている場合、このセルによって生成される干渉がないため、これを使用して隣接セルのＷＤによるチャネル推定を改善できる。
【００２２】
ＣＳＩ干渉測定リソース（ＩＭＲ）及び／又は（ＣＳＩ−ＩＭ）をＮＲで使用して、ＷＤが通常は他のセルからの干渉を測定できると考えられている。ＣＳＩ−ＩＭは、１つのＯＦＤＭシンボルの４つの連続したＲＥ、又は、周波数と時間の両方のドメインにおいて２つの連続したＲＥといった、スロット内のＲＢ当たり４つのＲＥを含み得る。ＮＺＰ  ＣＳＩ−ＲＳに基づくチャネルと、ＩＭＲに基づく干渉と、の両方を測定することにより、ＷＤは、ＣＳＩ、つまりランク、プリコーディング行列、及び、チャネル品質を決定するために、有効チャネルと、ノイズと干渉の和と、を推定できる。
【００２３】
非プリコーディング、対、プリコーディング又はビームフォーミングＣＳＩ−ＲＳ
ビームフォーミング（又はプリコーディング）ＣＳＩ−ＲＳの概念がＬＴＥで導入され、そこでは、ＣＳＩ−ＲＳはプリコードされ、複数のアンテナポートを介して送信され得る。これは、各ＣＳＩ−ＲＳが１つのアンテナポートで送信され得る非プリコーディングＣＳＩ−ＲＳとは対照的である。ビームフォーミングＣＳＩ−ＲＳは、ＷＤの方向が大まかにわかっている場合に使用でき、その結果、ＣＳＩ−ＲＳは、ＷＤに到達する狭いビームで送信され得る。ビームフォーミングゲインの増加によりＣＳＩ−ＲＳカバレッジを改善でき、ＣＳＩ−ＲＳリソースとＣＳＩフィードバックオーバーヘッドを削減できる。このビームフォーミング又はプリコーディングＣＳＩ−ＲＳは、通常、ＷＤ固有の方法で使用され、必要に応じて、或いは、非周期的に送信される。
【００２４】
ＮＲは、ビームフォーミングＣＳＩ−ＲＳを使用したＣＳＩフィードバックをサポートし、そこでは、ＷＤは、Ｋ個のＮＺＰ  ＣＳＩ−ＲＳリソースのＮＺＰ  ＣＳＩ−ＲＳリソースセットと、Ｋ個のＣＳＩ−ＩＭリソースのＣＳＩ−ＩＭリソースセットで構成される。ｋ番目のＣＳＩ−ＩＭリソースは、ｋ番目のＮＺＰ  ＣＳＩ−ＲＳリソースに関連付けられ得る。ＷＤは、まず、（例えば、受信電力に基づいて）ＮＺＰ  ＣＳＩ−ＲＳリソースを決定し、次に、選択されたチャネル測定用のＮＺＰ  ＣＳＩ−ＲＳリソースと、干渉測定用の関連するＣＳＩ−ＩＭリソースと、に基づいてＣＳＩを推定する。次に、ＷＤは、ＮＺＰ  ＣＳＩ−ＲＳリソースセット内の選択されたＮＺＰ  ＣＳＩ−ＲＳリソースインデクス（ＣＲＩ）及び推定したＣＳＩをフィードバックし得る。
【００２５】
ＭＵ−ＭＩＭＯ
総てのデータレイヤが１つのＷＤに送信される場合、それは、シングルユーザＭＩＭＯ（ＳＵ−ＭＩＭＯ）として参照され得る。一方、データレイヤが複数のＷＤに送信される場合、それは、マルチユーザＭＩＭＯ（ＭＵ−ＭＩＭＯ）として参照され得る。ＭＵ−ＭＩＭＯは、例えば、２つのＷＤがセルの異なるエリアにあり、ネットワークノードでの異なるプリコーダ（又はビームフォーミング）を介して分離できる場合に可能である。２つのＷＤは、異なるプリコーダ又はビームを使用することにより、同じ時間−周波数リソース（つまり、物理リソースブロック（ＰＲＢ））でサービス提供され得る。
【００２６】
ＭＵ−ＭＩＭＯ干渉
ＭＵ−ＭＩＭＯにおいては、セル間干渉とも呼ばれる他のセルからの干渉に加えて、ＭＵ−ＭＩＭＯに参加しているＷＤ間の干渉もＷＤは受け、これは、セル内干渉又はＭＵ干渉としても参照され得る。ＭＵ−ＭＩＭＯにおいてペアになっているＷＤの動的な性質により、ＭＵ干渉の測定や推定は一般に困難である。データ伝送で同じ時間−周波数リソースを共有するＫ個のＷＤがあると仮定すると、ｉ番目のＲＥでｋ番目（ｋ＝１、２、・・・、Ｋ）のＷＤの受信信号は以下の様に表すことができる。
ｙｋ（ｉ）＝Ｈｋ（ｉ）Ｗｋ（ｉ）ｓｋ（ｉ）＋Ｈｋ（ｉ）ΣＫｍ≠ｋＷｍ（ｉ）ｓｍ（ｉ）＋ｅｋ（ｉ）
ここで、Ｈｋ（ｉ）、Ｗｋ（ｉ）、ｓｋ（ｉ）は、それぞれ、ｉ番目のＲＥでｋ番目のＷＤに関連付けられているチャネル行列、プリコーディング行列及びデータベクトルである。ＩｋＭＵ＝Ｈｋ（ｉ）ΣＫｍ≠ｋＷｍ（ｉ）ｓｍ（ｉ）は、ｋ番目のＷＤが受けるＭＵ干渉と見做すことができ、ｅｋ（ｉ）は、ｋ番目のＷＤで受信されたノイズとセル間干渉の合計と見做すことができる。ｅｋ（ｉ）は、通常、ＷＤに構成されたＣＳＩ−ＩＭリソースで推定されることに留意されたい。
【００２７】
ＮＺＰ  ＣＳＩ−ＲＳベースのＩＭＲによるＭＵ干渉測定
ＮＲでは、ＮＺＰ  ＣＳＩ−ＲＳベースのＩＭＲが、ＭＵ干渉測定に使用できる。典型的なユースケースは、ｇＮＢが、ＳＵ−ＭＩＭＯ  ＣＳＩフィードバック又はチャネルの相互関係に基づくアップリンク測定のいずれかを介して各サービングＷＤのダウンリンクチャネルについて既にある程度の知識を持ち、ＭＵ−ＭＩＭＯ事前スケジューリングが実行される、つまり、ＭＵ−ＭＩＭＯ送信の候補となるＷＤのグループが判定されることである。各ＷＤのプリコーダを分かっている場合があるが、ＭＵ干渉が不明であるため、事前スケジュールされたＭＵ−ＭＩＭＯ送信に基づくランク及びＣＱＩのさらなるフィードバックが必要になり得る。この目的のため、各ＮＺＰ  ＣＳＩ−ＲＳポートが１つのＭＵ−ＭＩＭＯレイヤに対応する、プリコーディングＮＺＰ  ＣＳＩ−ＲＳを使用して、ＭＵ干渉がエミュレートされ得る。
【００２８】
例を図５に示し、ここでは、ＷＤ＃０が、チャネル測定、つまりチャネル測定リソース（ＣＭＲ）として１つのＮＺＰ  ＣＳＩ−ＲＳリソース＃０で構成され、ＭＵ干渉測定、つまり干渉測定リソース（ＩＭＲ）としてＮＺＰ  ＣＳＩ−ＲＳリソースのセット（つまり、リソース＃１、＃２及び＃３）で構成されている。ＷＤは、総てのＮＺＰ  ＣＳＩ−ＲＳリソースをＩＭＲとして測定した合計累積干渉をＣＳＩ推定に考慮し得る。ＷＤ＃１の場合、ＮＺＰ  ＣＳＩ−ＲＳリソース＃１は、チャネル測定用に構成され、ＮＺＰ  ＣＳＩ−ＲＳリソースのセット（つまり、リソース＃０、＃２、及び＃３）は、干渉測定用に構成される。ＷＤ＃２とＷＤ＃３にも同様の構成が適用／使用され得る。これは、４つのＷＤがＭＵ−ＭＩＭＯ送信でペアになっているときに、各ＷＤでＭＵ干渉をエミュレートされていると見做され得る。
【００２９】
ＮＲのＣＳＩフレームワーク
ＮＲにおいて、ＷＤは、Ｎ≧１ＣＳＩレポート設定、Ｍ≧１リソース設定、及び、１つのＣＳＩ測定設定で構成され、ＣＳＩ測定設定は、Ｌ≧１リンクを含むことが検討されている。Ｌリンクのそれぞれは、ＣＳＩレポート設定とリソース設定に対応する。
【００３０】
少なくとも以下の構成パラメータが、少なくともＣＳＩ取得のために無線リソース制御（ＲＲＣ）シグナリングを介して通知され得る。
・Ｎ、Ｍ、及びＬ−暗黙的又は明示的に示される
・各ＣＳＩレポート設定において、少なくとも：報告されたＣＳＩパラメータ、報告された場合にはＣＳＩタイプ（Ｉ又はＩＩ）、コードブックサブセット制限を含むコードブック構成、時間領域の挙動、ＣＱＩ及びＰＭＩの周波数粒度、測定制限構成等
・各リソース設定において：
○Ｓ≧１個のＣＳＩ−ＲＳリソースセットの構成
・ノート：各セットは、ＷＤに設定された総てのＣＳＩ−ＲＳリソースの"プール"からの異なる選択に対応し得る。
○少なくとも：ＲＥへのマッピング、ポートの数、時間領域の挙動等を含む、各セットｓのＫｓ≧１個のＣＳＩ−ＲＳリソースの構成
○ＣＳＩ測定設定の各Ｌリンクにおいて：ＣＳＩレポート設定表示、リソース設定表示、測定量（チャネル又は干渉のいずれか）
・１つのＣＳＩレポート設定は、１つ以上のリソース設定にリンクされ得る。
・複数のＣＳＩレポート設定は、同じリソース設定にリンクされ得る。
【００３１】
該当する場合、レイヤ１（Ｌ１）又はレイヤ２（Ｌ２）シグナリングによって少なくとも以下のものが動的に選択され得る。
・ＣＳＩ測定設定内の１つ以上のＣＳＩレポート設定
・少なくとも１つのリソース設定から選択された１つ以上のＣＳＩ−ＲＳリソースセット、及び／又は
・少なくとも１つのＣＳＩ−ＲＳリソースセットから選択された１つ以上のＣＳＩ−ＲＳリソース
【発明の概要】
【発明が解決しようとする課題】
【００３２】
ＮＲでは、ＮＺＰ  ＣＳＩ−ＲＳリソースの代わりに、ＮＺＰ  ＣＳＩ−ＲＳリソースセットがＣＳＩレポートのためにトリガされ得る。図５に示す例において、チャネル測定用の単一ＮＺＰ  ＣＳＩ−ＲＳリソースを含むＮＺＰ  ＣＳＩ−ＲＳリソースセットが構成される。ＷＤが、チャネル測定用の複数のＮＺＰ  ＣＳＩ−ＲＳリソースを含むＮＺＰ  ＣＳＩ−ＲＳリソースセットと、干渉測定用のＮＺＰ  ＣＳＩ−ＲＳリソースのセットとにより構成されている場合、ＷＤが、各ＮＺＰ  ＣＳＩ−ＲＳリソースのＭＵ干渉をＣＳＩフィードバックのためのＣＭＲとしてどの様に測定するかが不明確になる。
【００３３】
この問題を解決する１つのアプローチが検討され、そこでは、ＫＣ個のＮＺＰ  ＣＳＩ−ＲＳリソース｛Ｃ１，・・・，ＣＫｃ｝がチャネル測定用のリソースセットに構成され、ＫＩ個のリソース｛Ｉ１，・・・，ＩＫＩ｝が干渉測定用のリンクされたＮＺＰ  ＣＳＩ−ＲＳリソースセットに構成され、Ｃｉは、
【００３４】
【数１】
2021521662.tif 000004
に関連付けられる。
【００３５】
このアプローチは、ＫＩが、ＫＣの整数倍であることを前提にしている。しかしながら、このアプローチのユースケースは明確でない。典型的なＭＵ−ＭＩＭＯスケジューリングシナリオにおいて、ＭＵ−ＭＩＭＯのためにペアになっている各ＷＤのプリコーダは、一般的に知られており、従って、異なるプリコーダに変更して（つまり、チャネル測定に異なるＣＳＩ−ＲＳリソースを使用）、異なるセットのＷＤをペアにしたり、同じセットの異なるプリコーダのＷＤをペアにしたりしても（つまり干渉測定のための異なるＣＳＩ−ＲＳリソース）意味はない。
【課題を解決するための手段】
【００３６】
幾つかの実施形態は、複数の干渉仮定を伴うＣＳＩフィードバックのための方法及び装置を有利に提供する。本開示の幾つかの実施形態の幾つかの利点は、ＷＤが、ＭＵ−ＭＩＭＯのための複数の候補ＷＤの中から最良の（又は最適な）ＷＤのペアを報告することを可能にすることを含み、"最良"又は"最適"は１つ以上の確立された基準に基づいて定義される。
【００３７】
本開示の一実施形態において、ＷＤがチャネル測定のためのＮＺＰ  ＣＳＩ−ＲＳリソースセットと、干渉測定のための関連するＮＺＰ  ＣＳＩ−ＲＳリソースセットと、により構成されている場合、２つのリソースセット内のリソース数が同じに構成され、チャネル測定のためのｋ番目のＮＺＰ  ＣＳＩ−ＲＳリソースは、干渉測定のためのｋ番目のＮＺＰ  ＣＳＩ−ＲＳリソースに関連付けられる。さらに、幾つかの実施形態において、チャネル測定のためのＮＺＰ  ＣＳＩ−ＲＳリソースは同じリソースであり得る。
【００３８】
幾つかの実施形態において、無線ネットワークノードと複数の無線デバイス（ＷＤ）とを少なくとも備える無線ネットワークにおけるチャネル状態情報（ＣＳＩ）フィードバックの方法が提供され得る。方法は、ネットワークノードによって、チャネル測定のためのＮ個のＣＳＩ参照信号（ＣＳＩ−ＲＳ）リソースの第１セットと、干渉測定のためのＭ個のＣＳＩ−ＲＳリソースの第２セットとにより無線デバイスを構成することと、無線デバイスによって、第１リソースセットによるチャネル測定と、第２リソースセットによる干渉測定と、に基づいてＣＳＩを推定することと、無線デバイスによって、ＣＳＩと、ＣＳＩに関連付けられたＣＳＩ−ＲＳリソースインジケータと、を報告することと、の内の１つ又は複数を含み得る。
【００３９】
一実施形態によると、ＮはＭに等しくできる。
【００４０】
一実施形態によると、推定することは、Ｎ個のＣＳＩを推定することをさらに含み、ここで、ｎ番目のＣＳＩは、第１リソースセット内のｎ番目のＣＳＩ−ＲＳリソースのチャネル測定と、第２リソースセット内のｎ番目のＣＳＩ−ＲＳリソースの干渉測定と、に基づき、Ｎ個のＣＳＩからＣＳＩを決定する。別の態様において、ＣＳＩに関連付けられたＣＳＩ−ＲＳリソースインジケータは、決定されたＣＳＩの推定に使用した第１リソースセット内のＣＳＩ−ＲＳリソースのインデクスであり、セット内の最初のリソースは０のインデクスを有する。別の態様において、Ｎ個のＣＳＩの中からＣＳＩを決定することは、最高のスループットを提供するＣＳＩを選択することを含む。
【００４１】
別の実施形態によると、第１リソースセット内のＮ個のＣＳＩ−ＲＳリソースは同一である。
【００４２】
一実施形態によると、構成することは、Ｎ個のＣＳＩ−ＩＭリソースの第３リソースセットを構成することをさらに含む。別の実施形態によると、推定することは、Ｎ個のＣＳＩを推定することをさらに含み、ここで、ｎ番目のＣＳＩは、第１セット内のｎ番目のＣＳＩ−ＲＳリソースのチャネル測定と、第２リソースセット内のｎ番目のＣＳＩ−ＲＳリソースと、第３リソースセット内のｎ番目のＣＳＩ−ＩＭリソースの干渉測定と、に基づく。
【００４３】
一実施形態によると、Ｎは１に等しい。
【００４４】
一実施形態によると、方法は、以下のうちの１つの表示をシグナリングすることをさらに含む。オプションａ：第２リソースセットのＣＳＩ−ＲＳリソースで測定された干渉が、単一ＣＳＩ推定のために累積される。オプションｂ：第２リソースセットの各ＣＳＩ−ＲＳリソースで測定された干渉が、個別のＣＳＩ推定に使用される。一実施形態によると、オプションａがシグナリングされる場合、ＣＲＩは報告されない。一実施形態によると、オプションｂがシグナリングされる場合、Ｍ個のＣＳＩが推定され、それぞれは第２リソースセット内のＣＳＩ−ＲＳリソースに関連付けられる。さらに別の実施形態によると、推定することは、Ｍ個のＣＳＩの中からＣＳＩを決定することをさらに含む。さらに別の実施形態によると、決定することは、最高のスループットを提供するＣＳＩを選択することを含む。
【００４５】
従って、一態様によると、ＷＤで実行される方法が提供される。方法は、チャネル測定のための第１ＮＺＰ  ＣＳＩ−ＲＳリソースセットと、干渉測定のための第２ＮＺＰ  ＣＳＩ−ＲＳリソースセットと、を含むチャネル状態情報（ＣＳＩ）測定のための構成を受信することを含み、第１ＮＺＰ  ＣＳＩ−ＲＳリソースセットは、１つのＮＺＰ  ＣＳＩ−ＲＳリソースのみを含む。方法は、第１ＮＺＰ  ＣＳＩ−ＲＳリソースセット及び第２ＮＺＰ  ＣＳＩ−ＲＳリソースセットに基づいてＣＳＩを測定することをさらに含む。
【００４６】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。幾つかの実施形態において、方法は、測定されたＣＳＩを報告することをさらに含む。
【００４７】
他の態様によると、処理回路を含むＷＤが提供される。処理回路は、チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含むチャネル状態情報（ＣＳＩ）測定のための構成を受信する様に構成され、第１ＮＺＰ  ＣＳＩ−ＲＳリソースセットは、１つのＮＺＰ  ＣＳＩ−ＲＳリソースのみを含む。処理回路は、第１ＮＺＰ  ＣＳＩ−ＲＳリソースセット及び第２ＮＺＰ  ＣＳＩ−ＲＳリソースセットに基づいてＣＳＩを測定する様にも構成される。
【００４８】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。幾つかの実施形態において、処理回路は、測定されたチャネル状態情報（ＣＳＩ）を報告する様にさらに構成される。
【００４９】
別の態様によると、ネットワークノードによって実行される方法が提供される。方法は、チャネル測定のための第１ＮＺＰ  ＣＳＩ−ＲＳリソースセットと、干渉測定のための第２ＮＺＰ  ＣＳＩ−ＲＳリソースセットと、を含むＣＳＩのための構成を送信することを含み、第１ＮＺＰ  ＣＳＩ−ＲＳリソースセットは、１つのＮＺＰ  ＣＳＩ−ＲＳリソースのみを含む。方法は、第１ＮＺＰ  ＣＳＩ−ＲＳリソースセット及び第２ＮＺＰ  ＣＳＩ−ＲＳリソースセットに基づいて測定されたＣＳＩをＷＤから受信することも含む。
【００５０】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。
【００５１】
他の態様によると、ネットワークノードは、チャネル測定のための第１ＮＺＰ  ＣＳＩ−ＲＳリソースセットと、干渉測定のための第２ＮＺＰ  ＣＳＩ−ＲＳリソースセットと、を含むＣＳＩ測定のための構成をＷＤに送信する様に構成された処理回路を備え、第１ＮＺＰ  ＣＳＩ−ＲＳリソースセットは、１つのＮＺＰ  ＣＳＩ−ＲＳリソースのみを含む。処理回路は、第１ＮＺＰ  ＣＳＩ−ＲＳリソースセット及び第２ＮＺＰ  ＣＳＩ−ＲＳリソースセットに基づいて測定されたＣＳＩをＷＤから受信する様にさらに構成される。
【００５２】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。
【００５３】
本実施形態と、それに付随する利点及び特徴のより完全な理解は、以下の詳細な説明を参照し、添付の図面と併せて考慮することによってより容易に理解されるであろう。
【図面の簡単な説明】
【００５４】
【図１】ＮＲ物理リソースの例を示す図。
【図２】１５ｋＨｚのサブキャリア間隔を持つＮＲの時間領域構成の例を示す図。
【図３】プリコードされた空間多重化モードの例示的な送信構造を示す図。
【図４】１２ポートのＣＳＩ−ＲＳのためのＲＥ割り当ての例を示す図。
【図５】ＭＵ干渉測定及びＣＳＩフィードバックのためのＮＺＰ  ＣＳＩ−ＲＳリソース構成例を示す図。
【図６】本開示の原理による、中間ネットワークを介してホストコンピュータに接続された通信システムを示す例示的なネットワークアーキテクチャの概略図。
【図７】本開示の幾つかの実施形態による、少なくとも部分的な無線接続を介して、ネットワークノード経由で無線デバイスと通信するホストコンピュータのブロック図。
【図８】本開示の幾つかの実施形態によるホストコンピュータの代替実施形態のブロック図。
【図９】本開示の幾つかの実施形態によるネットワークノードの代替実施形態のブロック図。
【図１０】本開示の幾つかの実施形態による無線デバイスの代替実施形態のブロック図。
【図１１】本開示の幾つかの実施形態による、ホストコンピュータ、ネットワークノード及び無線デバイスを含む通信システムで実行される例示的な方法のフローチャート。
【図１２】本開示の幾つかの実施形態による、ホストコンピュータ、ネットワークノード及び無線デバイスを含む通信システムで実行される例示的な方法のフローチャート。
【図１３】本開示の幾つかの実施形態による、ホストコンピュータ、ネットワークノード及び無線デバイスを含む通信システムで実行される例示的な方法のフローチャート。
【図１４】本開示の幾つかの実施形態による、ホストコンピュータ、ネットワークノード及び無線デバイスを含む通信システムで実行される例示的な方法のフローチャート。
【図１５】本開示の幾つかの実施形態による、複数の干渉仮定を伴うＣＳＩフィードバックのためのネットワークノードにおける例示的なプロセスのフローチャート。
【図１６】本開示の幾つかの実施形態による、複数の干渉仮定を伴うＣＳＩフィードバックのための無線デバイスにおける例示的なプロセスのフローチャート。
【図１７】本開示のリソースセットの第１実施形態の例を示す図。
【図１８】本開示のリソースセットの第２実施形態の例を示す図。
【図１９】ＣＭＲ用のリソースセット内のＮＺＰ  ＣＳＩ−ＲＳリソースの数が、ＩＭＲ用のリソースセット内のものとは異なる例を示す図。
【図２０】本開示のリソースセットの第３実施形態の例を示す図。
【発明を実施するための形態】
【００５５】
例示的な実施形態を詳細に説明する前に、実施形態は、主に、複数の干渉仮定を伴うＣＳＩフィードバックのための方法及び装置に関連する装置コンポーネント及び処理ステップの組み合わせにあることに留意されたい。従って、構成要素は、図面における従来の記号により、本開示の実施形態を理解することに関連する特定の詳細のみを示し、本開示の利点を有する技術分野の当業者には容易に明らかとなる程度の詳細で本開示を曖昧にしない様に記載される。本開示を通じて、同様の参照符号は、同様の構成要素を示す。
【００５６】
本明細書で使用されるとき、"第１"、"第２"、"上部"及び"下部"などの関係用語は、その様なエンティティ又は要素間の物理的又は論理的な関係や順序を暗示・必要とすることなく、あるエンティティ又は要素を別のエンティティ又は要素から区別するためにのみ使用される。本明細書で使用される用語は、特定の実施形態を説明することのみを目的としており、本明細書で説明されている概念を限定することを意図していない。単数形式は、文脈が明らかに他の場合を示している場合を除き、複数形式を含むことが意図される。本明細書で使用されるとき、用語"含む"、"備える"及び／又は"有する"は、記載された特徴、整数、ステップ、動作、要素、及び／又は、構成要素の存在を特定するが、１つ以上の他の特徴、整数、ステップ、動作、要素、構成要素、及び／又は、それらのグループの存在又は追加を排除しない。
【００５７】
本明細書に記載の実施形態では、"〜と通信する"などの用語は、物理的接触、誘導、電磁放射、無線信号、赤外線信号又は光信号によって達成され得る電気又はデータ通信を示すために使用され得る。当業者は、複数の構成要素が相互動作でき、電気的通信及びデータ通信を達成するための修正形態及び変形形態が可能であることを理解するであろう。
【００５８】
幾つかの実施形態において、用語"結合"及び"接続"は、接続を示すために使用され、直接的である必要はなく、有線及び／又は無線接続を含み得る。
【００５９】
本明細書で使用される"ネットワークノード"という用語は、基地局（ＢＳ）、無線基地局、基地トランシーバ局（ＢＴＳ）、基地局コントローラ（ＢＳＣ）、無線ネットワークコントローラ（ＲＮＣ）、ｇノードＢ（ｇＮＢ）、発展型ノードＢ（ｅＮＢ又はｅＮｏｄｅＢ）、ノードＢ、ＭＳＲ  ＢＳなどのマルチスタンダード無線（ＭＳＲ）無線ノード、マルチセル／マルチキャスト調整エンティティ（ＭＣＥ）、リレーノード、リレーを制御するドナーノード、無線アクセスポイント（ＡＰ）、送信ポイント、送信ノード、リモート無線ユニット（ＲＲＵ）、リモート無線ヘッド（ＲＲＨ）、コアネットワークノード（モバイル管理エンティティ（ＭＭＥ）、セルフオーオーガナイジングネットワーク（ＳＯＮ）ノード、調整ノード、測位ノード、ＭＤＴノードなど）、外部ノード（例えば、サードパーティノード、現在のネットワークの外部のノード）、分散アンテナシステム（ＤＡＳ）のノード、スペクトルアクセスシステム（ＳＡＳ）ノード、要素管理システム（ＥＭＳ）などを含み得る、無線ネットワークに含まれる任意種別のネットワークノードであり得る。ネットワークノードは、テスト機器も含み得る。本明細書で使用される"無線ノード"という用語は、無線デバイス（ＷＤ）又は無線ネットワークノードなどの無線デバイス（ＷＤ）を示すためにも使用され得る。
【００６０】
幾つかの実施形態では、非限定的な用語の無線デバイス（ＷＤ）又はユーザ機器（ＵＥ）は互換的に使用される。本明細書のＷＤは、無線デバイス（ＷＤ）など、無線信号を介してネットワークノード又は別のＷＤと通信することができる任意のタイプの無線デバイスであり得る。ＷＤは、無線通信デバイス、ターゲットデバイス、デバイス間（Ｄ２Ｄ）ＷＤ、マシンタイプＷＤ、又はマシン間通信（Ｍ２Ｍ）が可能なＷＤ、低コスト及び／又は複雑さの低いＷＤ、センサ装備ＷＤ、タブレット、モバイル端末、スマートフォン、ラップトップ組み込み機器（ＬＥＥ）、ラップトップ搭載機器（ＬＭＥ）、ＵＳＢドングル、顧客宅内機器（ＣＰＥ）、ＩｏＴ（モノのインターネット）デバイス、又は、狭帯域ＩｏＴ（ＮＢ  −ＩＯＴ）デバイスなどを含み得る。
【００６１】
また、幾つかの実施形態において、"無線ネットワークノード"という一般的な用語が使用される。それは、基地局、無線基地局、基地トランシーバ局、基地局コントローラ、ネットワークコントローラ（ＲＮＣ）、発展型ノードＢ（ｅＮＢ）、ノードＢ、ｇＮＢ、マルチセル／マルチキャスト調整エンティティ（ＭＣＥ）、リレーノード、アクセスポイント、無線アクセスポイント、リモート無線ユニット（ＲＲＵ）、リモート無線ヘッド（ＲＲＨ）のいずれかを含み得る任意種別の無線ネットワークノードであり得る。
【００６２】
例えば３ＧＰＰ  ＬＴＥ及び／又はニューレディオ（ＮＲ）等の１つの特定の無線システムからの用語が本開示で使用され得るが、これは、本開示の範囲を前述のシステムのみに限定すると見なされるべきではないことに留意されたい。広帯域コード分割多元接続（ＷＣＤＭＡ(登録商標））、ＷｉＭａｘ（ＷｏｒｌｄｗｉｄｅＩｎｔｅｒｏｐｅｒａｂｉｌｉｔｙｆｏｒＭｉｃｒｏｗａｖｅＡｃｃｅｓｓ）、ウルトラモバイルブロードバンド（ＵＭＢ）、及びＧＳＭ（ＧｌｏｂａｌＳｙｓｔｅｍｆｏｒＭｏｂｉｌｅＣｏｍｍｕｎｉｃａｔｉｏｎｓ）を含むがこれらに限定されない他の無線システムも、本開示でカバーされるアイデアを活用することで利益を得ることができる。
【００６３】
さらに、無線デバイス又はネットワークノードによって実行されるものとして本明細書で説明されている機能は、複数の無線デバイス及び／又はネットワークノードに渡り分散させることができることに留意されたい。言い換えると、本明細書に記載のネットワークノード及び無線デバイスの機能は、単一の物理デバイスによって実行されることに限定されず、実際、幾つかの物理デバイス間に分散され得る。
【００６４】
他に定義されない限り、本明細書で使用される総ての用語（技術的及び科学的用語を含む）は、本開示が属する技術分野の当業者によって一般に理解されるのと同じ意味を有する。さらに、本明細書で使用される用語は、本明細書及び関連技術の文脈におけるそれらの意味と一致する意味を有すると解釈されるべきであり、本明細書で明確に定義されない限り理想的又は過度に形式的な意味で解釈されない。
【００６５】
実施形態は、チャネル測定のための第１チャネル状態情報−参照信号（ＣＳＩ−ＲＳ）リソースセットと、干渉測定のための第２ＣＳＩ−ＲＳリソースセットをＷＤに構成する、及び／又は、第１ＣＳＩ−ＲＳリソースセットのチャネル測定値と、第２ＣＳＩ−ＲＳリソースセットの干渉測定値と、に基づきチャネル状態情報（ＣＳＩ）を推定する方法及び装置を提供する。
【００６６】
同様の要素が同様の参照符号により参照される図に戻ると、図６は、一実施形態による、ＬＴＥ及び／又はＮＲ（５Ｇ）などの規格をサポートし得る３ＧＰＰタイプのセルラネットワーク等の通信システム１０を含む通信システムの概略図であり、通信システムは、無線アクセスネットワーク等のアクセスネットワーク１２と、コアネットワーク１４と、を含む。アクセスネットワーク１２は、ＮＢ、ｅＮＢ、ｇＮＢ又は他のタイプの無線アクセスポイント等の複数のネットワークノード１６ａ、１６ｂ、１６ｃ（総称してネットワークノード１６として参照する）を有し、それぞれが対応するカバレッジエリア１８ａ、１８ｂ、１８ｃ（総称してカバレッジエリア１８として参照する）を定義する。各ネットワークノード１６ａ、１６ｂ、１６ｃは、有線又は無線接続２０を介してコアネットワーク１４に接続可能である。カバレッジエリア１８ａに位置する第１無線デバイス（ＷＤ）２２ａは、対応するネットワークノード１６ｃに無線で接続する、或いは、ページングされる様に構成される。カバレッジエリア１８ｂの第２ＷＤ２２ｂは、対応するネットワークノード１６ａに無線で接続可能である。複数のＷＤ２２ａ、２２ｂ（総称して無線デバイス２２として参照する）がこの例に示されているが、開示する実施形態は、単一ＷＤがカバレッジエリアにある状況、又は、単一ＷＤが対応する無線ネットワークノード１６に接続している状況に等しく適用可能である。便宜上、２つのＷＤ２２及び３つのネットワークノード１６のみが示されているが、通信システムは、より多くのＷＤ２２及びネットワークノード１６を含み得ることに留意されたい。
【００６７】
また、ＷＤ２２は、複数のネットワークノード１６及び２つ以上のタイプのネットワークノード１６と、同時に通信することができる、及び／又は、別々に通信する様に構成することができる。例えば、ＷＤ２２は、ＬＴＥをサポートするネットワークノード１６と、同じ又はＮＲをサポートする異なるネットワークノード１６との二重接続を有することができる。一例として、ＷＤ２２は、ＬＴＥ／Ｅ−ＵＴＲＡＮのｅＮＢ及びＮＲ／ＮＧ−ＲＡＮのｇＮＢと通信することができる。
【００６８】
通信システム１０自体は、スタンドアロンサーバ、クラウド実装サーバ、分散サーバのハードウェア及び／又はソフトウェアにより、又は、サーバファームの処理リソースとして具現化され得るホストコンピュータ２４に接続され得る。ホストコンピュータ２４は、サービスプロバイダの所有権又は管理下にあり得るか、又はサービスプロバイダによって又はサービスプロバイダに代わって操作され得る。通信システム１０とホストコンピュータ２４との間の接続２６、２８は、コアネットワーク１４からホストコンピュータ２４まで直接延長してもよく、又はオプションの中間ネットワーク３０を介してもよい。中間ネットワーク３０は、パブリック、プライベート、又はホストされたネットワークのいずれか、或いは、それらの１つ以上の組み合わせであり得る。中間ネットワーク３０は、バックボーン又はインターネットであり得る。幾つかの実施形態において、中間ネットワーク３０は、２つ以上のサブネットワーク（図示せず）を含み得る。
【００６９】
図６の通信システムは、全体として、接続されたＷＤ２２ａ、２２ｂの内の１つとホストコンピュータ２４との間の接続を可能にする。接続性は、オーバーザトップ（ＯＴＴ）接続として説明され得る。ホストコンピュータ２４及び接続されたＷＤ２２ａ、２２ｂは、アクセスネットワーク１２、コアネットワーク１４、任意の中間ネットワーク３０及び、仲介者である、可能なさらなるインフラストラクチャ（図示せず）を使用して、ＯＴＴ接続を介してデータ及び／又はシグナリングを通信する様に構成される。ＯＴＴ接続は、ＯＴＴ接続が通過する参加通信デバイスの少なくとも幾つかがアップリンク及びダウンリンク通信のルーティングを認識しないという意味で透過的であり得る。例えば、ネットワークノード１６は、接続されたＷＤ２２ａに転送される（例えば、引き渡される）ホストコンピュータ２４から発信されるデータとの着信ダウンリンク通信の過去のルーティングについて通知されないか、又は通知される必要はない。同様に、ネットワークノード１６は、ＷＤ２２ａからホストコンピュータ２４に向かう発信アップリンク通信の将来のルーティングを認識する必要はない。
【００７０】
ネットワークノード１６は、チャネル測定のための第１チャネル状態情報−参照信号（ＣＳＩ−ＲＳ）リソースセットと、干渉測定のための第２ＣＳＩ−ＲＳリソースセットをＷＤ２２に構成する様に構成されるＣＳＩ構成ユニット３２を含む様に構成される。無線デバイス２２は、チャネル測定のための第１チャネル状態情報−参照信号（ＣＳＩ−ＲＳ）リソースセットと、干渉測定のための第２ＣＳＩ−ＲＳリソースセットの構成を、ネットワークノード１６から受信する様に構成される推定ユニット３４を含む様に構成される。
【００７１】
一実施形態による、前述の段落で説明したＷＤ２２、ネットワークノード１６及びホストコンピュータ２４の例示的な実装を、図２を参照して説明する。通信システム１０において、ホストコンピュータ２４は、通信システム１０の異なる通信デバイスのインタフェースとの有線又は無線接続をセットアップ及び維持する様に構成された通信インタフェース４０を含むハードウェア（ＨＷ）３８を備える。ホストコンピュータ２４は、記憶及び／又は処理能力を有し得る処理回路４２をさらに備える。処理回路４２は、プロセッサ４４及びメモリ４６を含み得る。特に、中央処理ユニットの様なプロセッサ及びメモリに加えて、或いは、代えて、処理回路４２は、処理及び／又は制御のための集積回路、例えば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路４４は、メモリ４６にアクセス（例えばそこに書き込む、及び／又は、そこから読み取る）する様に構成され、例えばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。
【００７２】
処理回路４２は、本明細書に記載の方法及び／又はプロセスのいずれかを制御し、及び／又は、そのような方法及び／又はプロセスを、例えばホストコンピュータ２４によって実行させる様に構成され得る。プロセッサ４４は、本明細書で説明するホストコンピュータ２４の機能を実行するための１つ以上のプロセッサ４４に対応する。ホストコンピュータ２４は、データ、プログラムソフトウェアコード及び／又は本明細書に記載されている他の情報を格納する様に構成されたメモリ４６を含む。幾つかの実施形態において、ソフトウェア４８及び／又はホストアプリケーション５０は、プロセッサ４４及び／又は処理回路４２によって実行されると、プロセッサ４４及び／又は処理回路４２に、ホストコンピュータ２４に関連して本明細書で説明したプロセスを実行させる命令を含み得る。命令は、ホストコンピュータ２４に関連付けられたソフトウェアであり得る。
【００７３】
ソフトウェア４８は、処理回路４２により実行可能な命令を含み得る。ソフトウェア４８は、ホストアプリケーション５０を含む。ホストアプリケーション５０は、ＷＤ２２とホストコンピュータ２４で終端されるＯＴＴ接続５２を介して接続する、ＷＤ２２の様なリモート・ユーザにサービスを提供する様に動作可能であり得る。リモート・ユーザにサービスを提供する際、ホストアプリケーション５０は、ＯＴＴ接続５２を使用して送信されるユーザデータを提供し得る。"ユーザデータ"は、説明された機能を実装するものとして本明細書で説明されたデータ及び情報であり得る。一実施形態において、ホストコンピュータ２４は、サービスプロバイダに制御及び機能を提供する様に構成され、サービスプロバイダによって、又はサービスプロバイダに代わって運用され得る。ホストコンピュータ２４の処理回路４２は、ホストコンピュータ２４が、ネットワークノード１６及び／又は無線デバイス２２を観察、モニタ、制御し、それらと送受信することを可能にし得る。ホストコンピュータ２４の処理回路４２は、サービスプロバイダが、開示する方法及び技術のいずれかを実行するために、ネットワークノード１６及び／又は無線デバイス２２を観察／モニタ／制御し、それらと送受信することを可能にする様に構成された通信ユニット５４を含み得る。
【００７４】
通信システム１０は、通信システム１０に設けられ、ホストコンピュータ２４及びＷＤ２２と通信することを可能にするハードウェア５８を備えるネットワークノード１６をさらに含む。ハードウェア５８は、通信システム１０の異なる通信デバイスのインタフェースとの有線又は無線接続をセットアップ及び維持するための通信インタフェース６０と、少なくとも、無線ネットワークノード１６がサービスを提供するカバレッジエリア１８にあるＷＤ２２との無線接続６４をセットアップ及び維持するための無線インタフェース６２と、を含み得る。無線インタフェース６２は、例えば、１つ以上のＲＦ送信機、１つ以上のＲＦ受信機、及び／又は１つ以上のＲＦトランシーバとして形成され得る、或いは、それらを含み得る。通信インタフェース６０は、ホストコンピュータ２４への接続６６を促進する様に構成され得る。接続６６は直接であってもよいし、通信システム１０のコアネットワーク１４及び／又は通信システム１０の外部の１つ以上の中間ネットワーク３０を通過し得る。
【００７５】
図示する実施形態において、ネットワークノード１６のハードウェア５８は、処理回路６８をさらに含む。処理回路６８は、プロセッサ７０及びメモリ７２を含み得る。特に、中央処理ユニットの様なプロセッサ及びメモリに加えて、或いは、代えて、処理回路６８は、処理及び／又は制御のための集積回路、例えば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路７０は、メモリ７２にアクセス（例えばそこに書き込む、及び／又は、そこから読み取る）する様に構成され、例えばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。
【００７６】
この様に、ネットワークノード１６はさらに、例えばメモリ７２の内部に格納されるか、又は外部接続を介してネットワークノード１６によってアクセス可能な外部メモリ（例えばデータベース、ストレージアレイ、ネットワークストレージデバイス）に格納されるソフトウェア７４を有する。ソフトウェア７４は、処理回路６８により実行可能な命令を含み得る。処理回路６８は、本明細書に記載の方法及び／又はプロセスのいずれかを制御し、及び／又は、そのような方法及び／又はプロセスを、例えばネットワークノード１６によって実行させる様に構成され得る。プロセッサ７０は、本明細書で説明するネットワークノード１６の機能を実行するための１つ以上のプロセッサ７０に対応する。メモリ７２は、データ、プログラムソフトウェアコード及び／又は本明細書に記載されている他の情報を格納する様に構成される。幾つかの実施形態において、ソフトウェア７４は、プロセッサ７０及び／又は処理回路６８によって実行されると、プロセッサ７０及び／又は処理回路６８に、ネットワークノード１６に関連して本明細書で説明したプロセスを実行させる命令を含み得る。例えば、ネットワークノード１６の処理回路６８は、チャネル測定のための第１チャネル状態情報−参照信号（ＣＳＩ−ＲＳ）リソースセットと、干渉測定のための第２ＣＳＩ−ＲＳリソースセットをＷＤ２２に構成する様に構成されるＣＳＩ構成ユニット３２を含み得る。幾つかの実施形態において、少なくとも干渉測定のための第２ＣＳＩ−ＲＳリソースセットは、干渉測定のための２つ以上のＣＳＩ−ＲＳリソースを含む。幾つかの実施形態において、処理回路６８はさらに、無線インタフェースに、ＷＤ２２からチャネル状態情報（ＣＳＩ）を受信させる様に構成され、ＣＳＩは、第１ＣＳＩ−ＲＳリソースセットのチャネル測定及び第２ＳＩ−ＲＳリソースセットの干渉測定に基づく。幾つかの実施形態において、処理回路６８は、無線インタフェース６２に、ＷＤから、ＣＳＩ及びＣＳＩに関連付けられたＣＳＩ−ＲＳリソースインジケータを受信させる様にさらに構成される。幾つかの実施形態において、ＣＳＩ−ＲＳリソースインジケータは、ＣＳＩ−ＲＳリソースインデクス（ＣＲＩ）であり、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す。幾つかの実施形態において、第１ＣＳＩ−ＲＳリソースセット内のリソース数は、第２ＣＳＩ−ＲＳリソースセット内のリソース数に等しい。幾つかの実施形態において、処理回路６８は、無線インタフェース６２に、ＷＤからＣＳＩ及びＣＳＩ−ＲＳリソースインジケータを受信させる様にさらに構成され、ＣＳＩ−ＲＳリソースインジケータは、最高のスループットを有するリソースペアを識別し、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである。幾つかの実施形態において、最高のスループットを有するリソースペアを識別することは、ＷＤ２２がＣＳＩ−ＲＳリソースセットの第１セット及び第２セットにおけるリソースペアのそれぞれについてＣＳＩを推定し、最高のスループットを有するリソースペアの１つを選択することを含む。幾つかの実施形態において、第１ＣＳＩ−ＲＳリソースセット内のリソースのそれぞれは、互いに同一である。幾つかの実施形態において、処理回路６８はさらに、無線インタフェースに、ＷＤ２２からＣＳＩ及びＣＳＩ−ＲＳリソースインジケータを受信させる様に構成され、ＣＳＩーＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する。幾つかの実施形態において、第１ＣＳＩ−ＲＳリソースセットは、１つのリソースのみを有する。幾つかの実施形態において、処理回路６８は、ＷＤ２２に対して少なくとも２つのオプションの内の少なくとも１つを選択する指示を無線インタフェース６２にシグナリングさせる様にさらに構成され、少なくとも２つのオプションは、少なくとも、ＣＳＩ推定のための第２ＣＳＩ−ＲＳソースセットの各リソースで測定された干渉を累積する第１オプションと、第２ＣＳＩ−ＲＳリソースセットの各リソースで干渉を測定し、ＣＳＩ推定のために測定された干渉が最小のリソースを使用する第２オプションと、を有する。
【００７７】
通信システム１０は、既に言及したＷＤ２２をさらに含む。ＷＤ２２は、ハードウェア８０を含み、ハードウェア７０は、ＷＤ２２が現在位置するカバレッジエリア１８にサービスを提供するネットワークノード１６との無線接続６４をセットアップ及び維持する様に構成された無線インタフェース８２を含み得る。無線インタフェース８２は、例えば、１つ以上のＲＦ送信機、１つ以上のＲＦ受信機、及び／又は、１つ以上のＲＦトランシーバとして形成され得る、或いは、それらを含み得る。
【００７８】
ＷＤ２２のハードウェア８０は、処理回路８４をさらに含む。処理回路８４は、プロセッサ８６及びメモリ８８を含み得る。特に、中央処理ユニットの様なプロセッサ及びメモリに加えて、或いは、代えて、処理回路８４は、処理及び／又は制御のための集積回路、例えば、命令を実行する様に適合された１つ以上のプロセッサ及び／又はプロセッサコア及び／又はＦＰＧＡ（フィールドプログラマブルゲートアレイ）及び／又はＡＳＩＣ（特定用途向け集積回路）を含み得る。処理回路８６は、メモリ８８にアクセス（例えばそこに書き込む、及び／又は、そこから読み取る）する様に構成され、例えばキャッシュ、及び／又は、バッファメモリ、及び／又は、ＲＡＭ（ランダムアクセスメモリ）、及び／又は、ＲＯＭ（読み取り専用メモリ）、及び／又は、光メモリ、及び／又は、ＥＰＲＯＭ（消去可能プログラマブル読み取り専用メモリ）といった、任意の種類の揮発性及び／又は不揮発性メモリを含み得る。
【００７９】
この様に、ＷＤ２２は、例えばＷＤ２２のメモリ８８に格納されるか、ＷＤ２２によってアクセス可能な外部メモリ（例えばデータベース、ストレージアレイ、ネットワークストレージデバイス）に格納されるソフトウェア９０をさらに含み得る。ソフトウェア９０は、処理回路８４により実行可能な命令を含み得る。ソフトウェア９０は、クライアントアプリケーション９２を含み得る。クライアントアプリケーション９２は、ホストコンピュータ２４のサポートにより、ＷＤ２２を介して人間又は非人間のユーザにサービスを提供する様に動作可能であり得る。ホストコンピュータ２４において、実行中のホストアプリケーション５０は、ＷＤ２２及びホストコンピュータ２４で終端するＯＴＴ接続５２を介して実行中のクライアントアプリケーション９２と通信することができる。ユーザにサービスを提供する際、クライアントアプリケーション９２は、ホストアプリケーション５０からリクエストデータを受信し、リクエストデータに応答してユーザデータを提供してもよい。ＯＴＴ接続５２は、リクエストデータとユーザデータの両方を転送し得る。クライアントアプリケーション９２は、ユーザと対話して、提供するユーザデータを生成することができる。
【００８０】
処理回路８４は、本明細書に記載の方法及び／又はプロセスのいずれかを制御し、及び／又は、そのような方法及び／又はプロセスを、例えばＷＤ２２によって実行させる様に構成され得る。プロセッサ８６は、本明細書で説明するＷＤ２２の機能を実行するための１つ以上のプロセッサ８６に対応する。ＷＤ２２は、データ、プログラムソフトウェアコード及び／又は本明細書に記載されている他の情報を格納する様に構成されたメモリ８８を含む。幾つかの実施形態において、ソフトウェア９０及び／又はクライアントアプリケーション９２は、プロセッサ８６及び／又は処理回路８４によって実行されると、プロセッサ８６及び／又は処理回路８４に、ＷＤ２２に関連して本明細書で説明したプロセスを実行させる命令を含み得る。例えば、無線デバイス２２の処理回路８４は、チャネル測定のための第１チャネル状態情報−参照信号（ＣＳＩ−ＲＳ）リソースセットと、干渉測定のための第２ＣＳＩ−ＲＳリソースセットの構成を、ネットワークノード１６から受信する様に構成される推定ユニット３４を含み得る。幾つかの実施形態において、少なくとも干渉測定のための第２ＣＳＩ−ＲＳリソースセットは、干渉測定のための２つ以上のＣＳＩ−ＲＳリソースを含む。幾つかの実施形態において、処理回路８４はさらに、第１ＣＳＩ−ＲＳリソースセットのチャネル測定及び第２ＣＳＩ−ＲＳリソースセットの干渉測定と、に基づきチャネル状態情報（ＣＳＩ）を推定する様に構成される。幾つかの実施形態において、処理回路８４は、無線インタフェース８２に、ＣＳＩをネットワークノード１６に通信させる様にさらに構成される。幾つかの実施形態において、処理回路８４は、ＣＳＩに関連付けられたＣＳＩ−ＲＳリソースインデクス（ＣＲＩ）を判定させる様にさらに構成され、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す。幾つかの実施形態において、第１ＣＳＩ−ＲＳリソースセット内のリソース数は、第２ＣＳＩ−ＲＳリソースセット内のリソース数に等しい。幾つかの実施形態において、処理回路８４は、最高のスループットを有するリソースペアを判定する様にさらに構成され、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである。幾つかの実施形態において、処理回路８４は、少なくとも、ＣＳＩ−ＲＳリソースセットの第１セット及び第２セットにおけるリソースペアのそれぞれについてＣＳＩを推定し、最高のスループットを有するリソースペアの１つを選択することにより、最高のスループットを有するリソースペアを決定する様にさらに構成される。幾つかの実施形態において、第１ＣＳＩ−ＲＳリソースセット内のリソースのそれぞれは、互いに同一である。幾つかの実施形態において、処理回路８４はさらに、無線インタフェースに、ＣＳＩ及びＣＳＩ−ＲＳリソースインジケータをネットワークノード１６に通信させる様に構成され、ＣＳＩーＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する。幾つかの実施形態において、第１ＣＳＩ−ＲＳリソースセットは、１つのリソースのみを有する。幾つかの実施形態において、処理回路８４は、少なくとも２つのオプションのうちの少なくとも１つを選択する指示を、ネットワークノード１６から無線インタフェース８２に受信させる様にさらに構成され、少なくとも２つのオプションは、少なくとも、ＣＳＩ推定のための第２ＣＳＩ−ＲＳソースセットの各リソースで測定された干渉を累積する第１オプションと、第２ＣＳＩ−ＲＳリソースセットの各リソースで干渉を測定し、ＣＳＩ推定のために測定された干渉が最小のリソースを使用する第２オプションと、を有する。幾つかの実施形態において、処理回路８４は、指示に基づいて、ＣＳＩ推定のために第２ＣＳＩ−ＲＳソースセットの各リソースの測定された干渉を累積することと、第２ＣＳＩ−ＲＳリソースセットの各リソースの干渉を測定し、ＣＳＩ推定のために測定された干渉が最小のリソースを使用することとの内の１つを少なくとも行う様にさらに構成される。
【００８１】
幾つかの実施形態において、ネットワークノード１６、ＷＤ２２、及び、ホストコンピュータ２４の内部動作は、図７に示されるとおりであり、独立して、周囲のネットワークトポロジは図６に示す通りであり得る。
【００８２】
図７において、ＯＴＴ接続５２は、中間デバイス及びこれらのデバイスを介したメッセージの正確なルーティングを明示的に参照することなく、ネットワークノード１６を介したホストコンピュータ２４と無線デバイス２２との間の通信を示すために抽象的に描かれている。ネットワークインフラストラクチャは、ルーティングを決定してもよく、ルーティングは、ＷＤ２２又はホストコンピュータ２４を運用するサービスプロバイダ、又はその両方から隠す様に構成されてもよい。ＯＴＴ接続５２がアクティブである間、ネットワークインフラストラクチャは、ルーティングを動的に変更する決定をさらに行うことができる（例えば、ネットワークの負荷分散の検討又は再構成に基づいて）。
【００８３】
ＷＤ２２とネットワークノード１６との間の無線接続６４は、本開示を通して説明される実施形態の教示に従う。１つ以上の様々な実施形態は、無線接続６４が最後のセグメントを形成するＯＴＴ接続５２を使用して、ＷＤ２２に提供されるＯＴＴサービスの性能を改善する。より正確には、これらの実施形態の幾つかの教示は、データレート、待ち時間、及び／又は電力消費を改善し、それにより、ユーザ待ち時間の短縮、ファイルサイズの制限の緩和、応答性の向上、バッテリ寿命の延長などの利点を提供し得る。
【００８４】
幾つかの実施形態において、測定手順が、データレート、遅延、及び１つ以上の実施形態が改善される他の要因を監視する目的で提供され得る。さらに、測定結果の変動に応じて、ホストコンピュータ２４とＷＤ２２との間のＯＴＴ接続５２を再構成するためのオプションのネットワーク機能があり得る。ＯＴＴ接続５２を再構成するための測定手順及び／又はネットワーク機能は、ホストコンピュータ２４のソフトウェア４８又はＷＤ２２のソフトウェア９０、又はその両方に実装され得る。実施形態において、センサ（図示せず）は、ＯＴＴ接続５２が通過する通信デバイス内に、又はそれに関連して配置され、センサは、上記で例示した監視量の値を提供するか、ソフトウェア４８、９０が監視量を計算又は推定できる他の物理量の値を提供することにより、測定手順に参加できる。ＯＴＴ接続５２の再構成には、メッセージ形式、再送信設定、優先ルーティングなどが含まれ、再構成はネットワークノード１６に影響を与えず、ネットワークノード１６にとって未知又は感知できない可能性がある。そのような手順及び機能は、当技術分野で知られ実践されている場合がある。特定の実施形態において、測定は、スループット、伝播時間、遅延などのホストコンピュータの２４測定を容易にする独自のＷＤシグナリングを含み得る。幾つかの実施形態において、測定は、ソフトウェア４８、９０が、ＯＴＴ接続５２を使用して、伝播時間、エラーなどを監視しながら、メッセージ、特に空又は"ダミー"メッセージを送信させる様に実装できる。
【００８５】
この様に、幾つかの実施形態において、ホストコンピュータ２４は、ユーザデータを提供する様に構成された処理回路４２と、ＷＤ２２への送信のためにユーザデータをセルラネットワークに転送する様に構成された通信インタフェース４０とを含む。幾つかの実施形態において、セルラネットワークは、無線インタフェース６２を備えたネットワークノード１６も含む。幾つかの実施形態において、ネットワークノード１６及び／又はネットワークノード１６の処理回路６８は、ＷＤ２２への送信を準備／開始／維持／サポート／終了、及び／又は、ＷＤ２２からの送信の受信を準備／終了／維持／サポート／終了するために本明細書に記載された機能及び／又は方法を実行する様に構成される。
【００８６】
幾つかの実施形態において、ホストコンピュータ２４は、処理回路４２と、ＷＤ２２からネットワークノード１６への送信から生じるユーザデータを受信する様に構成された通信インタフェース４０とを含む。幾つかの実施形態において、ＷＤ２２は、ネットワークノード１６への送信を準備／開始／維持／サポート／終了、及び／又は、ネットワークノード１６からの送信の受信を準備／終了／維持／サポート／終了するために本明細書に記載された機能及び／又は方法を実行する様に構成される、及び／又は、その様に構成される無線インタフェース８２及び／又は処理回路８４を含む。
【００８７】
図６及び図７は、ＣＳＩ構成ユニット３２及び推定ユニット３４などの様々な"ユニット"をそれぞれのプロセッサ内にあるものとして示しているが、これらのユニットは、ユニットの一部が処理回路内の対応するにメモリに格納される様に実装され得ることを意図している。言い換えると、ユニットは、処理回路内のハードウェア又はハードウェアとソフトウェアの組み合わせで実装され得る。
【００８８】
図８は、本明細書に記載の機能を実行するためにプロセッサによって実行可能なソフトウェアを含むソフトウェアモジュールによって少なくとも部分的に実現され得る代替のホストコンピュータ２４のブロック図である。ホストコンピュータ２４は、通信システム１０の異なる通信デバイスのインタフェースとの有線又は無線接続をセットアップ及び維持する様に構成された通信インタフェース４１を含む。メモリ４７は、データ、プログラムソフトウェアコード及び／又は本明細書に記載されている他の情報を格納する様に構成される。通信モジュール５５は、サービスプロバイダが、開示する方法及び技術のいずれかを実行するために、ネットワークノード１６及び／又は無線デバイス２２を観察／モニタ／制御し、それらと送受信することを可能にする様に構成される。
【００８９】
図９は、本明細書に記載の機能を実行するためにプロセッサによって実行可能なソフトウェアを含むソフトウェアモジュールによって少なくとも部分的に実装され得る代替のネットワークノード１６のブロック図である。ネットワークノード１６は、ネットワークノード１６によってサービスされるカバレッジエリア１８に位置するＷＤ２２との少なくとも無線接続６４をセットアップ及び維持する様に構成された無線インタフェースモジュール６３を含む。ネットワークノード１６は、通信システム１０の異なる通信デバイスのインタフェースとの有線又は無線接続をセットアップ及び維持する様に構成された通信インタフェースモジュール６１を含む。通信インタフェースモジュール６１は、ホストコンピュータ２４への接続６６を促進する様に構成され得る。メモリモジュール７３は、データ、プログラムソフトウェアコード及び／又は本明細書に記載されている他の情報を格納する様に構成される。ＣＳＩ構成モジュール３３は、チャネル測定用のＣＳＩ−ＲＳリソースセット及び干渉測定用の第２ＣＳＩ−ＲＳリソースセットでＷＤ２２を構成する様に構成される。
【００９０】
図１０は、本明細書に記載の機能を実行するためにプロセッサによって実行可能なソフトウェアを含むソフトウェアモジュールによって少なくとも部分的に実装され得る代替の無線デバイス２２のブロック図である。ＷＤ２２は、ＷＤ２２が現在位置するカバレッジエリア１８にサービスを提供するネットワークノード１６との無線接続６４をセットアップ及び維持する様に構成された無線インタフェース８３を含む。メモリ８９は、データ、プログラムソフトウェアコード及び／又は本明細書に記載されている他の情報を格納する様に構成される。推定モジュール３５は、チャネル測定用の第１ＣＳＩ−ＲＳリソースセット及び干渉測定用の第２ＣＳＩ−ＲＳリソースセットの構成を、ネットワークノードから受信する様に構成される。推定モジュール５３は、さらに、第１ＣＳＩ−ＲＳリソースセットのチャネル測定と、第２ＳＩ−ＲＳリソースセットの干渉測定と、に基づきチャネル状態情報（ＣＳＩ）を推定する様に構成され得る。
【００９１】
図１１は、一実施形態による、例えば図６及び図７の通信システムなどの通信システムで実施される例示的な方法を示すフローチャートである。通信システムは、図７を参照して説明したホストコンピュータ２４、ネットワークノード１６及びＷＤ２２を含み得る。この方法の第１ステップにおいて、ホストコンピュータ２４はユーザデータを提供する（ブロックＳ１００）。第１ステップのオプションサブステップにおいて、ホストコンピュータ２４は、例えば、ホストアプリケーション７４などのホストアプリケーションを実行することにより、ユーザデータを提供する（ブロックＳ１０２）。第２ステップにおいて、ホストコンピュータ２４は、ユーザデータをＷＤ２２に搬送する送信を開始する（ブロックＳ１０４）。オプションの第３ステップにおいて、ネットワークノード１６は、本開示を通して説明される実施形態の教示に従って、ホストコンピュータ２２が開始した送信で搬送されたユーザデータをＷＤ２２に送信する（ブロックＳ１０６）。オプションの第４ステップにおいて、ＷＤ２２は、ホストコンピュータ２４によって実行されるホストアプリケーション７４に関連する、例えばクライアントアプリケーション１１４などのクライアントアプリケーションを実行する（ブロックＳ１０８）。
【００９２】
図１２は、一実施形態による、例えば図６の通信システムなどの通信システムで実施される例示的な方法を示すフローチャートである。通信システムは、図６及び７を参照して説明したホストコンピュータ２４、ネットワークノード１６及びＷＤ２２を含み得る。この方法の第１ステップにおいて、ホストコンピュータ２４はユーザデータを提供する（ブロックＳ１１０）。オプションサブステップ（図示せず）において、ホストコンピュータ２４は、例えば、ホストアプリケーション７４などのホストアプリケーションを実行することにより、ユーザデータを提供する。第２ステップにおいて、ホストコンピュータ２４は、ユーザデータをＷＤ２２に搬送する送信を開始する（ブロックＳ１１２）。本開示を通して説明される実施形態の教示に従い、送信は、ネットワークノード１６を通過し得る。オプションの第３ステップにおいて、ＷＤ２２は、送信で搬送されたユーザデータを受信する（ブロックＳ１１４）。
【００９３】
図１３は、一実施形態による、例えば図６の通信システムなどの通信システムで実施される例示的な方法を示すフローチャートである。通信システムは、図６及び７を参照して説明したホストコンピュータ２４、ネットワークノード１６及びＷＤ２２を含み得る。この方法のオプションの第１ステップにおいて、ＷＤ２２はホストコンピュータ２４により提供された入力データを受信する（ブロックＳ１１６）。第１ステップのオプションサブステップにおいて、ＷＤ２２は、ホストコンピュータ２４によって提供された受信入力データに応答してユーザデータを提供するクライアントアプリケーション１１４を実行する（ブロックＳ１１８）。追加又は代替として、オプションの第２ステップにおいて、ＷＤ２２はユーザデータを提供する（ブロックＳ１２０）。第２ステップのオプションサブステップにおいて、ＷＤは、例えば、クライアントアプリケーション１１４などのクライアントアプリケーションを実行することにより、ユーザデータを提供する（ブロックＳ１２２）。ユーザデータを提供する際に、実行されたクライアントアプリケーション１１４は、ユーザから受け取ったユーザ入力をさらに考慮し得る。ユーザデータが提供された特定の方法に関係なく、ＷＤ２２は、オプションの第３サブステップにおいて、ホストコンピュータ２４へのユーザデータの送信を開始する（ブロックＳ１２４）。方法の第４ステップにおいて、ホストコンピュータ２４は、本開示を通して説明される実施形態の教示に従って、ＷＤ２２から送信されたユーザデータを受信する（ブロックＳ１２６）。
【００９４】
図１４は、一実施形態による、例えば図６の通信システムなどの通信システムで実施される例示的な方法を示すフローチャートである。通信システムは、図６及び７を参照して説明したホストコンピュータ２４、ネットワークノード１６及びＷＤ２２を含み得る。方法のオプションの第１ステップにおいて、本開示全体にわたって説明される実施形態の教示に従って、ネットワークノード１６はＷＤ２２からユーザデータを受信する（ブロックＳ１２８）。オプションの第２ステップにおいて、ネットワークノード１６は、受信したユーザデータのホストコンピュータ２４への送信を開始する（ブロックＳ１３０）。第３ステップにおいて、ホストコンピュータ２４は、ネットワークノード１６により開始された送信で搬送されるユーザデータを受信する（ブロックＳ１３２）。
【００９５】
図１５は、ネットワークノード１６における例示的なプロセスのフローチャートである。本明細書で説明する１つ又は複数のブロックは、１つ又は複数の処理回路６８（ＣＳＩ構成ユニット３２を含む）、プロセッサ７０、無線インタフェース６２及び／又は通信インタフェース６０等のネットワークノード１６の１つ又は複数の要素によって実行され得る。処理回路６８及び／又はプロセッサ７０及び／又は無線インタフェース６２及び／又は通信インタフェース６０等を介してネットワークノード１６は、チャネル測定用の第１ＮＺＰ  ＣＳＩ−ＲＳリソースセットと干渉測定用の第２ＮＺＰ  ＣＳＩ−ＲＳリソースセットを含むＣＳＩ測定の構成を送信する様に構成され、第１ＮＺＰ  ＣＳＩ−ＲＳリソースセットは、１つのＮＺＰ  ＣＳＩ−ＲＳリソースのみを含む（ブロックＳ１３４）。処理は、第１ＮＺＰ  ＣＳＩ−ＲＳリソースセット及び第２ＮＺＰ  ＣＳＩ−ＲＳリソースセットに基づいて測定されたＣＳＩをＷＤ２２から受信することも含む（ブロックＳ１３６）。
【００９６】
幾つかの実施形態において、少なくとも、干渉測定のための第２ＣＳＩ−ＲＳリソースセットは、干渉測定のための２つ以上のＣＳＩ−ＲＳリソースを含む。幾つかの実施形態において、方法は、さらに、ＷＤ２２からチャネル状態情報（ＣＳＩ）を受信することを含み、ＣＳＩは、第１ＣＳＩ−ＲＳリソースセットのチャネル測定と、第２ＣＳＩ−ＲＳリソースセットの干渉測定と、に基づく。幾つかの実施形態において、方法は、ＷＤ２２から、ＣＳＩ及びＣＳＩに関連付けられたＣＳＩ−ＲＳリソースインジケータを受信することをさらに含む。幾つかの実施形態において、ＣＳＩ−ＲＳリソースインジケータは、ＣＳＩ−ＲＳリソースインデクス（ＣＲＩ）であり、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す。幾つかの実施形態において、第１ＣＳＩ−ＲＳリソースセット内のリソース数は、第２ＣＳＩ−ＲＳリソースセット内のリソース数に等しい。幾つかの実施形態において、方法は、ＷＤ２２からＣＳＩ及びＣＳＩ−ＲＳリソースインジケータを受信することをさらに含み、ＣＳＩ−ＲＳリソースインジケータは、最高のスループットを有するリソースペアを識別し、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである。幾つかの実施形態において、最高のスループットを有するリソースペアを識別することは、ＷＤ２２がＣＳＩ−ＲＳリソースセットの第１セット及び第２セットにおけるリソースペアのそれぞれについてＣＳＩを推定し、最高のスループットを有するリソースペアの１つを選択することを含む。幾つかの実施形態において、第１ＣＳＩ−ＲＳリソースセット内のリソースのそれぞれは、互いに同一である。幾つかの実施形態において、方法はさらに、ＷＤ２２からＣＳＩ及びＣＳＩ−ＲＳリソースインジケータを受信することを含み、ＣＳＩーＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する。幾つかの実施形態において、第１ＣＳＩ−ＲＳリソースセットは、１つのリソースのみを有する。幾つかの実施形態において、方法は、ＷＤ２２に対して少なくとも２つのオプションのうちの少なくとも１つを選択する指示をシグナリングすることを含み、少なくとも２つのオプションは、少なくとも、ＣＳＩ推定のために、第２ＣＳＩ−ＲＳソースセットの各リソースで測定された干渉を累積する第１オプションと、第２ＣＳＩ−ＲＳリソースセットの各リソースで干渉を測定し、ＣＳＩ推定のために、測定された干渉が最小のリソースを使用する第２オプションと、を有する。
【００９７】
図１６は、本開示の幾つかの実施形態による、無線デバイス２２における例示的なプロセスのフローチャートである。本明細書で説明する１つ又は複数のブロックは、１つ又は複数の処理回路８４（推定ユニット３４を含む）、プロセッサ８６、無線インタフェース８２及び／又は通信インタフェース６０等の無線デバイス２２の１つ又は複数の要素によって実行され得る。処理回路８４及び／又はプロセッサ８６及び／又は無線インタフェース８２等を介して無線デバイス２２は、チャネル測定用の第１ＮＺＰ  ＣＳＩ−ＲＳリソースセットと干渉測定用の第２ＮＺＰ  ＣＳＩ−ＲＳリソースセットを含むＣＳＩ測定のための構成を受信する様に構成され、第１ＮＺＰ  ＣＳＩ−ＲＳリソースセットは、１つのＮＺＰ  ＣＳＩ−ＲＳリソースのみを含む（ブロックＳ１３８）。処理は、第１ＮＺＰ  ＣＳＩ−ＲＳリソースセット及び第２ＮＺＰ  ＣＳＩ−ＲＳリソースセットに基づいてＣＳＩを測定することも含む（ブロックＳ１４０）。
【００９８】
幾つかの実施形態において、少なくとも干渉測定のための第２ＣＳＩ−ＲＳリソースセットは、干渉測定のための２つ以上のＣＳＩ−ＲＳリソースを含む。幾つかの実施形態において、方法は、さらに、第１ＣＳＩ−ＲＳリソースセットのチャネル測定及び第２ＳＩ−ＲＳリソースセットの干渉測定に基づきチャネル状態情報（ＣＳＩ）を推定することを含む。幾つかの実施形態において、方法は、ＣＳＩをネットワークノード１６に通信することをさらに含む。幾つかの実施形態において、方法は、ＣＳＩに関連付けられたＣＳＩ−ＲＳリソースインデクス（ＣＲＩ）を判定することをさらに含み、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す。幾つかの実施形態において、第１ＣＳＩ−ＲＳリソースセット内のリソース数は、第２ＣＳＩ−ＲＳリソースセット内のリソース数に等しい。幾つかの実施形態において、方法は、最高のスループットを有するリソースペアを判定することをさらに含み、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである。幾つかの実施形態において、方法は、少なくとも、ＣＳＩ−ＲＳリソースセットの第１セット及び第２セットにおけるリソースペアのそれぞれについてＣＳＩを推定し、最高のスループットを有するリソースペアの１つを選択することにより、最高のスループットを有するリソースペアを判定することを含む。幾つかの実施形態において、第１ＣＳＩ−ＲＳリソースセット内のリソースのそれぞれは、互いに同一である。幾つかの実施形態において、方法はさらに、ネットワークノード１６に、ＣＳＩ及びＣＳＩ−ＲＳリソースインジケータを通信することを含み、ＣＳＩーＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する。幾つかの実施形態において、第１ＣＳＩ−ＲＳリソースセットは、１つのリソースのみを有する。幾つかの実施形態において、方法は、ネットワークノード１６から、少なくとも２つのオプションのうちの少なくとも１つを選択する指示を受信することを含み、少なくとも２つのオプションは、少なくとも、ＣＳＩ推定のために、第２ＣＳＩ−ＲＳソースセットの各リソースで測定された干渉を累積する第１オプションと、第２ＣＳＩ−ＲＳリソースセットの各リソースで干渉を測定し、ＣＳＩ推定のために、測定された干渉が最小のリソースを使用する第２オプションと、を有する。幾つかの実施形態において、方法は、指示に基づいて、ＣＳＩ推定のために、第２ＣＳＩ−ＲＳソースセットの各リソースの測定された干渉を蓄積することと、第２ＣＳＩ−ＲＳリソースセットの各リソースの干渉を測定し、ＣＳＩ推定のために、測定された干渉が最小のリソースを使用することと、の内の１つを少なくとも行う様にさらに構成される。
【００９９】
本開示の幾つかの実施形態を説明したが、幾つかの実施形態のより詳細な説明が以下に提供される。
【０１００】
本開示の幾つかの実施形態は、所与のＷＤ２２について、ネットワークノード１６（例えば、ｇＮＢ）が、ＭＵ−ＭＩＭＯのために、このＷＤ２２とペアリングされ得る他のＷＤ２２を決定及び／又は識別することを提供する。候補ＷＤは、例えば、以前のＣＳＩフィードバック又は相反性情報に基づいてネットワークノード１６によって決定され得る。例えば、｛ＷＤ＃０、ＷＤ＃１、ＷＤ＃２｝が候補ＷＤ２２として識別された場合、ネットワークノード１６は、以下のうちの１つ以上を決定し得る。
・（ａ）識別された総ての候補ＷＤ２２（例えば、３つのＷＤ｛ＷＤ＃０、ＷＤ＃１、ＷＤ＃２｝）を一緒にペアリングできるかどうか。この場合、各ＷＤ２２は、例えば、以下の様に、ＣＭＲのための１つのＣＳＩ−ＲＳリソースで構成され得る。
○ＣＭＲ：
・ＷＤ＃０：ＮＺＰ  ＣＳＩ−ＲＳ＃０；
・ＷＤ＃１：ＮＺＰ  ＣＳＩ−ＲＳ＃１；
・ＷＤ＃２：ＮＺＰ  ＣＳＩ−ＲＳ＃２；
○ＩＭＲ：
・ＷＤ＃０：｛ＮＺＰ  ＣＳＩ−ＲＳ＃１，ＮＺＰ  ＣＳＩ−ＲＳ＃２｝；
・ＷＤ＃１：｛ＮＺＰ  ＣＳＩ−ＲＳ＃０，ＮＺＰ  ＣＳＩ−ＲＳ＃２｝；
・ＷＤ＃２：｛ＮＺＰ  ＣＳＩ−ＲＳ＃０，ＮＺＰ  ＣＳＩ−ＲＳ＃１｝；
・（ｂ）３つ総てのＷＤ２２を一緒にペアリングすることでＭＵ干渉が多くなり過ぎる場合（例えば、所定のＭＵ干渉閾値以上になる場合）、ネットワークノード１６は、識別されたＷＤ２２のいずれか２つを代わりにペアリングできるかどうかを決定し得る。別の言い方をすれば、一実施形態において、ネットワークノード１６が、ＭＵ−ＭＩＭＯのためにペアにされる複数の候補ＷＤ２２のＭＵ干渉が少なくとも干渉しきい値を満たすと決定した場合、ネットワークノード１６は、複数の候補ＷＤ２２のサブセット（複数の数未満）を、少なくとも干渉閾値を満たさないＭＵ干渉で一緒にペアリングできるかを判定し得る。さらに別の言い方をすれば、幾つかの実施形態において、ネットワークノード１６は、ペアリングのＭＵ干渉が少なくとも干渉閾値を満たさない様に、ＭＵ−ＭＩＭＯのために２つ以上の候補ＷＤのペアリングをする様に構成され得る。幾つかの実施形態において、シナリオ（ｂ）は、チャネル測定用のリソースセット内の２つ以上のＮＺＰ  ＣＳＩ−ＲＳリソースで対処することができる。
【０１０１】
本開示の第１の実施形態によると、ＷＤ２２が、チャネル測定用の第１ＮＺＰ  ＣＳＩ−ＲＳリソースセット及び干渉測定用の関連する第２ＮＺ  ＰＣＳＩ−ＲＳリソースセットで構成される場合、２つのリソースセット内のリソース数は同じであり得る。さらに、第１リソースセット内のｋ番目のＮＺＰ  ＣＳＩ−ＲＳリソースは、第２リソースセット内のｋ番目のＮＺＰ  ＣＳＩ−ＲＳリソースに関連付けられ得る。幾つかの実施形態において、リソースセットのそれぞれは、セットに複数のリソースを含むと見做され得る。
【０１０２】
例えば、ＷＤ２２は２つのリソースセットで構成され得る。
・チャネル測定用の第１ＮＺＰ  ＣＳＩ−ＲＳリソースセットは、
○｛ＮＺＰ  ＣＳＩ−ＲＳ＃０，ＮＺＰ  ＣＳＩ−ＲＳ＃３，ＮＺＰ  ＣＳＩ−ＲＳ＃２｝を含む。
・干渉測定用の第２ＮＺＰ  ＣＳＩ−ＲＳリソースセットは、
○｛ＮＺＰ  ＣＳＩ−ＲＳ＃１，ＮＺＰ  ＣＳＩ−ＲＳ＃２，ＮＺＰ  ＣＳＩ−ＲＳ＃０｝を含む。
【０１０３】
図１７は、直前に説明した例における２つのリソースセットの例示的な構成又は配置を示している。
【０１０４】
一態様において、ＷＤ２２は、一方がチャネル測定用の第１のリソースセット内のリソースであり、他方が干渉測定用の第２のリソースセット内のリソースである、各リソースペアについてＣＳＩを推定し得る。例えば、ＣＳＩは、（チャネル測定用のリソースセットの最初と見做し得る）ＮＺＰ  ＣＳＩ−ＲＳ＃０と、（干渉測定用のリソースセットの対応する最初と見做し得。）ＮＺＰ  ＣＳＩ−ＲＳ＃１と、によりＷＤ２２によって推定され得る。ＷＤ２２は、最高又は最適な推定ＣＳＩ、例えば、最高のスループットを有するＣＳＩを選択し、例えば、ネットワークノード１６に、ＣＳＩを、リソースセット内のＣＳＩに関連付けられたリソースペアのインデクスに対応するＣＳＩ−ＲＳリソースインデクス（ＣＲＩ）と共にフィードバックし得る。例えば、リソースペア｛ＮＺＰ  ＣＳＩ−ＲＳ＃０（チャネル用）、ＮＺＰ  ＣＳＩ−ＲＳ＃１（干渉用）｝で最良／最適のＣＳＩが取得された場合、ＣＲＩ＝０であり、最良のＣＳＩがリソースペア｛ＮＺＰ  ＣＳＩ−ＲＳ＃３（チャネル用）、ＮＺＰ  ＣＳＩ−ＲＳ＃２（干渉用）｝で取得された場合、ＣＲＩ＝１である（リソースセットのインデクスが０、１、２の順に続くと仮定）。
【０１０５】
本開示の第２実施形態によると、ＷＤ２２が、チャネル測定用の第１ＮＺＰ  ＣＳＩ−ＲＳリソースセット及び干渉測定用の関連する第２ＮＺＰ  ＣＳＩ−ＲＳリソースセットで構成される場合、２つのリソースセット内のリソースの数は同じであり得る。さらに、一態様において、第１リソースセット内のｋ番目のＮＺＰ  ＣＳＩ−ＲＳリソースは、第２リソースセット内のｋ番目のＮＺＰ  ＣＳＩ−ＲＳリソースに関連付けられ得る。さらに、第１リソースセット内のＮＺＰ  ＣＳＩ−ＲＳリソースは、幾つかの実施形態において同じであり得る。
【０１０６】
例えば、ＷＤ２２は２つのリソースセットで構成され得る。
・チャネル測定用の第１ＮＺＰ  ＣＳＩ−ＲＳリソースセットは、
○｛ＮＺＰ  ＣＳＩ−ＲＳ＃０，ＮＺＰ  ＣＳＩ−ＲＳ＃０，ＮＺ  ＰＣＳＩ−ＲＳ＃０｝である。
・干渉測定用の第２ＮＺＰ  ＣＳＩ−ＲＳリソースセットは、
○｛ＮＺＰ  ＣＳＩ−ＲＳ＃１，ＮＺＰ  ＣＳＩ−ＲＳ＃２，ＮＺＰ  ＣＳＩ−ＲＳ＃３｝である。
【０１０７】
図１８は、直前に説明した例における２つのリソースセットの例示的な構成又は配置を示している。
【０１０８】
一態様によると、ＷＤ２２は、ＮＺＰ  ＣＳＩ−ＲＳ＃０でチャネルを測定し、３つのＮＺＰ  ＣＳＩ−ＲＳリソース、つまり、｛ＮＺＰ  ＣＳＩ−ＲＳ＃１、ＮＺＰ  ＣＳＩ−ＲＳ＃２、ＮＺＰ  ＣＳＩ−ＲＳ＃３｝で干渉を測定し得る。ＷＤ２２は、測定された干渉が最小のＮＺＰ  ＣＳＩ−ＲＳリソースを選択し、チャネル測定と、最小の干渉と、に基づいてＣＳＩを推定し得る。次に、ＷＤ２２は、例えば、最小の干渉及び推定されたＣＳＩと共に選択されたＮＺＰ  ＣＳＩ−ＲＳリソースのリソースインデクスに対応するＣＲＩを、ネットワークノード１６にフィードバックし得る。例えば、ＷＤ２２によって最小の干渉がＮＺＰ  ＣＳＩ−ＲＳ＃１で測定された場合、ＣＲＩ＝０となり、最小の干渉がＮＺＰ  ＣＳＩ−ＲＳ＃２で測定された場合、ＣＲＩ＝１となる。
【０１０９】
別の実施形態において、干渉測定用のリソースセット内のＮＺＰ  ＣＳＩ−ＲＳリソースの数は、チャネル測定用のリソースセット内のＮＺＰ  ＣＳＩ−ＲＳリソースの数とは異なり得る。この実施形態の一例を図１９に示す。
【０１１０】
第３実施形態によると、ＷＤ２２が、チャネル測定用の第１ＮＺＰ  ＣＳＩ−ＲＳリソースセット及び干渉測定用の関連する第２ＮＺＰ  ＣＳＩ−ＲＳリソースセットで構成される場合、チャネル測定用の第１リソースセットには単一のリソースがあり（例えば図２０参照）、ＷＤ２２は、２つのオプションの内の少なくとも１つが指示され得る。
○オプション１：第２リソースセットで測定された干渉は、ＣＳＩ推定のために累積さる。ＷＤ２２は、ＣＳＩのみをネットワークノード１６に報告し得る。
○オプション２：ＷＤ２２は、第２リソースセットの各ＮＺＰ  ＣＳＩ−ＲＳリソースで干渉を測定し、ＣＳＩ推定用に最小の干渉を選択する。ＷＤ２２は、最小の干渉を有する第２リソースセット内のＮＺＰ  ＣＳＩ−ＲＳリソースのリソースインデクスに対応するＣＲＩをネットワークノード１６に報告し得る。
【０１１１】
従って、一態様によると、ＷＤ２２で実行される方法が提供される。方法は、チャネル測定のための第１ＮＺＰ  ＣＳＩ−ＲＳリソースセットと、干渉測定のための第２ＮＺＰ  ＣＳＩ−ＲＳリソースセットと、を含むＣＳＩ測定のための構成を受信することを含み、第１ＮＺＰ  ＣＳＩ−ＲＳリソースセットは、１つのＮＺＰ  ＣＳＩ−ＲＳリソースのみを含む。方法は、第１ＮＺＰ  ＣＳＩ−ＲＳリソースセット及び第２ＮＺＰ  ＣＳＩ−ＲＳリソースセットに基づいて、処理回路８４を介してＣＳＩを測定することをさらに含む。
【０１１２】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。幾つかの実施形態において、方法は、測定されたＣＳＩを報告することをさらに含む。
【０１１３】
他の態様によると、処理回路を含むＷＤ２２が提供される。処理回路８４は、チャネル測定のための第１ＮＺＰ  ＣＳＩ−ＲＳリソースセットと、干渉測定のための第２ＮＺＰ  ＣＳＩ−ＲＳリソースセットと、を含むＣＳＩ測定のための構成を受信する様に構成され、第１ＮＺＰ  ＣＳＩ−ＲＳリソースセットは、１つのＮＺＰ  ＣＳＩ−ＲＳリソースのみを含む。処理回路８４は、第１ＮＺＰ  ＣＳＩ−ＲＳリソースセット及び第２ＮＺＰ  ＣＳＩ−ＲＳリソースセットに基づいてＣＳＩを測定する様にも構成される。
【０１１４】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。幾つかの実施形態において、処理回路８４は、測定されたチャネル状態情報（ＣＳＩ）を報告する様にさらに構成される。
【０１１５】
別の態様によると、ネットワークノード１６によって実行される方法が提供される。方法は、チャネル測定のための第１ＮＺＰ  ＣＳＩ−ＲＳリソースセットと、干渉測定のための第２ＮＺＰ  ＣＳＩ−ＲＳリソースセットと、を含むＣＳＩのための構成を送信することを含み、第１ＮＺＰ  ＣＳＩ−ＲＳリソースセットは、１つのＮＺＰ  ＣＳＩ−ＲＳリソースのみを含む。方法は、第１ＮＺＰ  ＣＳＩ−ＲＳリソースセット及び第２ＮＺＰ  ＣＳＩ−ＲＳリソースセットに基づいて測定されたＣＳＩをＷＤ２２から受信することも含む。
【０１１６】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。
【０１１７】
他の態様によると、ネットワークノード１６は、チャネル測定のための第１ＮＺＰ  ＣＳＩ−ＲＳリソースセットと、干渉測定のための第２ＮＺＰ  ＣＳＩ−ＲＳリソースセットと、を含むＣＳＩ測定のための構成をＷＤに送信する様に構成された処理回路６８を備え、第１ＮＺＰ  ＣＳＩ−ＲＳリソースセットは、１つのＮＺＰ  ＣＳＩ−ＲＳリソースのみを含む。処理回路６８は、第１ＮＺＰ  ＣＳＩ−ＲＳリソースセット及び第２ＮＺＰ  ＣＳＩ−ＲＳリソースセットに基づいて測定されたＣＳＩをＷＤ２２から受信する様にさらに構成される。
【０１１８】
この態様によると、幾つかの実施形態において、ＣＳＩ測定は、第１ＮＺＰ  ＣＳＩ−ＲＳリソースセットに基づくチャネル測定と、第２ＮＺＰ  ＣＳＩ−ＲＳリソースセットに基づく干渉測定と、を含む。幾つかの実施形態において、ＣＳＩ測定は、第２ＮＺＰ  ＣＳＩ−ＲＳリソースセット内の１つ又は複数のＮＺＰ  ＣＳＩ−ＲＳリソースのそれぞれに対する総ての干渉を考慮する。
【０１１９】
幾つかの実施形態は以下の通りである。
【０１２０】
実施形態Ａ１
無線デバイス（ＷＤ）と通信する様に構成されたネットワークノードであって、チャネル測定のための第１チャネル状態情報−参照信号（ＣＳＩ−ＲＳ）リソースセットと、干渉測定のための第２ＣＳＩ−ＲＳリソースセットと、をＷＤに構成する様に構成されるネットワークノード、及び／又は、その様に構成される無線インタフェース及び／又は処理回路を含む、ネットワークノード。
【０１２１】
実施形態Ａ２
実施形態Ａ１に記載のネットワークノードであって、少なくとも干渉測定のための第２ＣＳＩ−ＲＳリソースセットは、干渉測定のための２つ以上のＣＳＩ−ＲＳリソースを含む、ネットワークノード。
【０１２２】
実施形態Ａ３
実施形態Ａ１及びＡ２のいずれか１つに記載のネットワークノードであって、処理回路はさらに、無線インタフェースに、ＷＤからチャネル状態情報（ＣＳＩ）を受信させる様に構成され、ＣＳＩは、第１ＣＳＩ−ＲＳリソースセットのチャネル測定及び第２ＣＳＩ−ＲＳリソースセットの干渉測定に基づく、ネットワークノード。
【０１２３】
実施形態Ａ４
実施形態Ａ１からＡ３のいずれか１つに記載のネットワークノードであって、処理回路は、無線インタフェースに、ＷＤから、ＣＳＩ及びＣＳＩに関連付けられたＣＳＩ−ＲＳリソースインジケータを受信させる様にさらに構成される、ネットワークノード。
【０１２４】
実施形態Ａ５
実施形態Ａ４に記載のネットワークノードであって、ＣＳＩ−ＲＳリソースインジケータは、ＣＳＩ−ＲＳリソースインデクス（ＣＲＩ）であり、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す、ネットワークノード。
【０１２５】
実施形態Ａ６
実施形態Ａ１からＡ５のいずれか１つに記載のネットワークノードであって、第１ＣＳＩ−ＲＳリソースセット内のリソース数は、第２ＣＳＩ−ＲＳリソースセット内のリソース数に等しい、ネットワークノード。
【０１２６】
実施形態Ａ７
実施形態Ａ６に記載のネットワークノードであって、処理回路は、無線インタフェースに、ＷＤからＣＳＩ及びＣＳＩ−ＲＳリソースインジケータを受信させる様にさらに構成され、ＣＳＩ−ＲＳリソースインジケータは、最高のスループットを有するリソースペアを識別し、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである、ネットワークノード。
【０１２７】
実施形態Ａ８
実施形態Ａ７に記載のネットワークノードであって、最高のスループットを有するリソースペアを識別することは、ＷＤがＣＳＩ−ＲＳリソースセットの第１セット及び第２セットにおけるリソースペアのそれぞれについてＣＳＩを推定し、最高のスループットを有するリソースペアの１つを選択することを含む、ネットワークノード。
【０１２８】
実施形態Ａ９
実施形態Ａ１からＡ５のいずれか１つに記載のネットワークノードであって、第１ＣＳＩ−ＲＳリソースセット内のリソースのそれぞれは、互いに同一である、ネットワークノード。
【０１２９】
実施形態Ａ１０
実施形態Ａ９に記載のネットワークノードであって、処理回路はさらに、無線インタフェースに、ＷＤからＣＳＩ及びＣＳＩ−ＲＳリソースインジケータを受信させる様に構成され、ＣＳＩーＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する、ネットワークノード。
【０１３０】
実施形態Ａ１１
実施形態Ａ１からＡ５のいずれか１つに記載のネットワークノードであって、第１ＣＳＩ−ＲＳリソースセットは、１つのリソースのみを有する、ネットワークノード。
【０１３１】
実施形態Ａ１２
実施形態Ａ１１に記載のネットワークノードであって、処理回路は、無線インタフェースに少なくとも２つのオプションの内の少なくとも１つを選択する指示をＷＤに送信させる様にさらに構成され、少なくとも２つのオプションは、少なくとも、
ＣＳＩ推定のために第２ＣＳＩ−ＲＳリソースセットの各リソースで測定された干渉を累積する第１オプションと、
第２ＣＳＩ−ＲＳリソースセットの各リソースで干渉を測定し、ＣＳＩ推定のために測定された干渉が最小のリソースを使用する第２オプションと、
を含むネットワークノード。
【０１３２】
実施形態Ｂ１
ネットワークノードで実行される方法であって、チャネル測定のための第１チャネル状態情報−参照信号（ＣＳＩ−ＲＳ）リソースセットと、干渉測定のための第２ＣＳＩ−ＲＳリソースセットをＷＤに構成することを含む、方法。
【０１３３】
実施形態Ｂ２
実施形態Ｂ１に記載の方法であって、少なくとも干渉測定のための第２ＣＳＩ−ＲＳリソースセットは、干渉測定のための２つ以上のＣＳＩ−ＲＳリソースを含む、方法。
【０１３４】
実施形態Ｂ３
実施形態Ｂ１及びＢ２のいずれか１つに記載の方法であって、さらに、ＷＤからチャネル状態情報（ＣＳＩ）を受信することを含み、ＣＳＩは、第１ＣＳＩ−ＲＳリソースセットのチャネル測定及び第２ＣＳＩ−ＲＳリソースセットの干渉測定に基づく、方法。
【０１３５】
実施形態Ｂ４
実施形態Ｂ１からＢ３のいずれか１つに記載の方法であって、ＷＤから、ＣＳＩ及びＣＳＩに関連付けられたＣＳＩ−ＲＳリソースインジケータを受信することをさらに含む、方法。
【０１３６】
実施形態Ｂ５
実施形態Ｂ４に記載の方法であって、ＣＳＩ−ＲＳリソースインジケータは、ＣＳＩ−ＲＳリソースインデクス（ＣＲＩ）であり、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す、方法。
【０１３７】
実施形態Ｂ６
実施形態Ｂ１からＢ５のいずれか１つに記載の方法であって、第１ＣＳＩ−ＲＳリソースセット内のリソース数は、第２ＣＳＩ−ＲＳリソースセット内のリソース数に等しい、方法。
【０１３８】
実施形態Ｂ７
実施形態Ｂ６に記載の方法であって、ＷＤからＣＳＩ及びＣＳＩ−ＲＳリソースインジケータを受信することをさらに含み、ＣＳＩ−ＲＳリソースインジケータは、最高のスループットを有するリソースペアを識別し、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである、方法。
【０１３９】
実施形態Ｂ８
実施形態Ｂ７に記載の方法であって、最高のスループットを有するリソースペアを識別することは、ＷＤがＣＳＩ−ＲＳリソースセットの第１セット及び第２セットにおけるリソースペアのそれぞれについてＣＳＩを推定し、最高のスループットを有するリソースペアの１つを選択することを含む、方法。
【０１４０】
実施形態Ｂ９
実施形態Ｂ１からＢ５のいずれか１つに記載の方法であって、第１ＣＳＩ−ＲＳリソースセット内のリソースのそれぞれは、互いに同一である、方法。
【０１４１】
実施形態Ｂ１０
実施形態Ｂ９に記載の方法であって、さらに、ＷＤからＣＳＩ及びＣＳＩ−ＲＳリソースインジケータを受信することを含み、ＣＳＩ−ＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する、方法。
【０１４２】
実施形態Ｂ１１
実施形態Ｂ１からＢ５のいずれか１つに記載の方法であって、第１ＣＳＩ−ＲＳリソースセットは、１つのリソースのみを有する、方法。
【０１４３】
実施形態Ｂ１２
実施形態Ｂ１１に記載の方法であって、さらに、少なくとも２つのオプションの内の少なくとも１つを選択する指示をＷＤにシグナリングすることを含み、少なくとも２つのオプションは、少なくとも、
ＣＳＩ推定のために第２ＣＳＩ−ＲＳリソースセットの各リソースで測定された干渉を累積する第１オプションと、
第２ＣＳＩ−ＲＳリソースセットの各リソースで干渉を測定し、ＣＳＩ推定のために測定された干渉が最小のリソースを使用する第２オプションと、
を含む方法。
【０１４４】
実施形態Ｃ１
ネットワークノードと通信する様に構成された無線デバイス（ＷＤ）であって、チャネル測定のための第１チャネル状態情報−参照信号（ＣＳＩ−ＲＳ）リソースセットと、干渉測定のための第２ＣＳＩ−ＲＳリソースセットの構成をネットワークノードから受信する様に構成されるＷＤ、及び／又は、その様に構成される無線インタフェースを含むＷＤ、及び／又は、無線インタフェースにその様にさせる処理回路を含む、ＷＤ。
【０１４５】
実施形態Ｃ２
実施形態Ｃ１に記載のＷＤであって、少なくとも干渉測定のための第２ＣＳＩ−ＲＳリソースセットは、干渉測定のための２つ以上のＣＳＩ−ＲＳリソースを含む、ＷＤ。
【０１４６】
実施形態Ｃ３
実施形態Ｃ１及びＣ２のいずれか１つに記載のＷＤであって、処理回路はさらに、第１ＣＳＩ−ＲＳリソースセットのチャネル測定と、第２ＣＳＩ−ＲＳリソースセットの干渉測定と、に基づきチャネル状態情報（ＣＳＩ）を推定する様に構成される、ＷＤ。
【０１４７】
実施形態Ｃ４
実施形態Ｃ１からＣ３のいずれか１つに記載のＷＤであって、処理回路は、無線インタフェースに、ＣＳＩをネットワークノードに通信させる様にさらに構成される、ＷＤ。
【０１４８】
実施形態Ｃ５
実施形態Ｃ１からＣ４のいずれか１つに記載のＷＤであって、処理回路は、ＣＳＩに関連付けられたＣＳＩ−ＲＳリソースインデクス（ＣＲＩ）を判定する様にさらに構成され、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す、ＷＤ。
【０１４９】
実施形態Ｃ６
実施形態Ｃ１からＣ５のいずれか１つに記載のＷＤであって、第１ＣＳＩ−ＲＳリソースセット内のリソース数は、第２ＣＳＩ−ＲＳリソースセット内のリソース数に等しい、ＷＤ。
【０１５０】
実施形態Ｃ７
実施形態Ｃ６に記載のＷＤであって、処理回路は、最高のスループットを有するリソースペアを判定する様にさらに構成され、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである、ＷＤ。
【０１５１】
実施形態Ｃ８
実施形態Ｃ７に記載のＷＤであって、処理回路は、少なくとも、ＣＳＩ−ＲＳリソースセットの第１セット及び第２セットにおけるリソースペアのそれぞれについてＣＳＩを推定し、最高のスループットを有するリソースペアの１つを選択することにより、最高のスループットを有するリソースペアを判定する様にさらに構成される、ＷＤ。
【０１５２】
実施形態Ｃ９
実施形態Ｃ１からＣ５のいずれか１つに記載のＷＤであって、第１ＣＳＩ−ＲＳリソースセット内のリソースのそれぞれは、互いに同一である、ＷＤ。
【０１５３】
実施形態Ｃ１０
実施形態Ｃ９に記載のＷＤであって、処理回路はさらに、無線インタフェースに、ＣＳＩ及びＣＳＩ−ＲＳリソースインジケータをネットワークノードに通信させる様に構成され、ＣＳＩーＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する、ＷＤ。
【０１５４】
実施形態Ｃ１１
実施形態Ｃ１からＣ５のいずれか１つに記載のＷＤであって、第１ＣＳＩ−ＲＳリソースセットは、１つのリソースのみを有する、ＷＤ。
【０１５５】
実施形態Ｃ１２
実施形態Ｃ１１に記載のＷＤであって、処理回路は、無線インタフェースに少なくとも２つのオプションの内の少なくとも１つを選択する指示をネットワークノードから受信させる様にさらに構成され、少なくとも２つのオプションは、少なくとも、
ＣＳＩ推定のために第２ＣＳＩ−ＲＳリソースセットの各リソースで測定された干渉を累積する第１オプションと、
第２ＣＳＩ−ＲＳリソースセットの各リソースで干渉を測定し、ＣＳＩ推定のために測定された干渉が最小のリソースを使用する第２オプションと、
を含むＷＤ。
【０１５６】
実施形態Ｃ１３
実施形態Ｃ１２に記載のＷＤであって、処理回路は、指示に基づき、
ＣＳＩ推定のために第２ＣＳＩ−ＲＳリソースセットの各リソースで測定された干渉を累積することと、
第２ＣＳＩ−ＲＳリソースセットの各リソースで干渉を測定し、ＣＳＩ推定のために測定された干渉が最小のリソースを使用することと、
の内の少なくとも１つを行わせる様にさらに構成される、ＷＤ。
【０１５７】
実施形態Ｄ１
無線デバイス（ＷＤ）で実行される方法であって、チャネル測定のための第１チャネル状態情報−参照信号（ＣＳＩ−ＲＳ）リソースセットと、干渉測定のための第２ＣＳＩ−ＲＳリソースセットの構成をネットワークノードから受信することを含む、方法。
【０１５８】
実施形態Ｄ２
実施形態Ｄ１に記載の方法であって、少なくとも干渉測定のための第２ＣＳＩ−ＲＳリソースセットは、干渉測定のための２つ以上のＣＳＩ−ＲＳリソースを含む、方法。
【０１５９】
実施形態Ｄ３
実施形態Ｄ１及びＤ２のいずれか１つに記載の方法であって、第１ＣＳＩ−ＲＳリソースセットのチャネル測定と、第２ＣＳＩ−ＲＳリソースセットの干渉測定と、に基づきチャネル状態情報（ＣＳＩ）を推定することをさらに含む、方法。
【０１６０】
実施形態Ｄ４
実施形態Ｄ１からＤ３のいずれか１つに記載の方法であって、ＣＳＩをネットワークノードに通信することをさらに含む、方法。
【０１６１】
実施形態Ｄ５
実施形態Ｄ１からＤ４のいずれか１つに記載の方法であって、ＣＳＩに関連付けられたＣＳＩ−ＲＳリソースインデクス（ＣＲＩ）を判定することをさらに含み、ＣＲＩは、第１ＣＳＩ−ＲＳリソースセット及び第２ＣＳＩ−ＲＳリソースセットの少なくとも１つにおける少なくとも１つのＣＳＩ−ＲＳリソースを示す、方法。
【０１６２】
実施形態Ｄ６
実施形態Ｄ１からＤ５のいずれか１つに記載の方法であって、第１ＣＳＩ−ＲＳリソースセット内のリソース数は、第２ＣＳＩ−ＲＳリソースセット内のリソース数に等しい、方法。
【０１６３】
実施形態Ｄ７
実施形態Ｄ６に記載の方法であって、最高のスループットを有するリソースペアを判定することをさらに含み、リソースペアは、第１リソースインデクス値を持つ第１ＣＳＩ−ＲＳリソースセット内の１つのリソースと、第２リソースインデクス値を持つ第２ＣＳＩ−ＲＳリソースセット内の対応するリソースを含み、第１リソースインデクス値は第２リソースインデクス値と同じである、方法。
【０１６４】
実施形態Ｄ８
実施形態Ｄ７に記載の方法であって、少なくとも、ＣＳＩ−ＲＳリソースセットの第１セット及び第２セットにおけるリソースペアのそれぞれについてＣＳＩを推定し、最高のスループットを有するリソースペアの１つを選択することにより、最高のスループットを有するリソースペアを判定することを含む、方法。
【０１６５】
実施形態Ｄ９
実施形態Ｄ１からＤ５のいずれか１つに記載の方法であって、第１ＣＳＩ−ＲＳリソースセット内のリソースのそれぞれは、互いに同一である、方法。
【０１６６】
実施形態Ｄ１０
実施形態Ｄ９に記載の方法であって、さらに、ＣＳＩ及びＣＳＩ−ＲＳリソースインジケータをネットワークノードに送信することを含み、ＣＳＩーＲＳリソースインジケータは、第２ＣＳＩ−ＲＳリソースセット内の１つのリソースを識別し、当該１つのリソースは、第２ＣＳＩ−ＲＳリソースセット内の他のリソースの測定された干渉より小さい測定された干渉を有する、方法。
【０１６７】
実施形態Ｄ１１
実施形態Ｄ１からＤ５のいずれか１つに記載の方法であって、第１ＣＳＩ−ＲＳリソースセットは、１つのリソースのみを有する、方法。
【０１６８】
実施形態Ｄ１２
実施形態Ｄ１１に記載の方法であって、さらに、少なくとも２つのオプションの内の少なくとも１つを選択する指示をネットワークノードから受信することを含み、少なくとも２つのオプションは、少なくとも、
ＣＳＩ推定のために第２ＣＳＩ−ＲＳリソースセットの各リソースで測定された干渉を累積する第１オプションと、
第２ＣＳＩ−ＲＳリソースセットの各リソースで干渉を測定し、ＣＳＩ推定のために測定された干渉が最小のリソースを使用する第２オプションと、
を含む方法。
【０１６９】
実施形態Ｄ１３
実施形態Ｄ１２に記載の方法であって、指示に基づき、
ＣＳＩ推定のために第２ＣＳＩ−ＲＳリソースセットの各リソースで測定された干渉を累積することと、
第２ＣＳＩ−ＲＳリソースセットの各リソースで干渉を測定し、ＣＳＩ推定のために測定された干渉が最小のリソースを使用することと、
の内の少なくとも１つを含む、方法。
【０１７０】
実施形態Ｅ１
ネットワークノードであって、
チャネル測定のための第１チャネル状態情報−参照信号（ＣＳＩ−ＲＳ）リソースセットと、干渉測定のための第２ＣＳＩ−ＲＳリソースセットの表示を格納する様に構成されたメモリモジュールと、
チャネル測定のためのＣＳＩ−ＲＳリソースセット及び干渉測定のための第２ＣＳＩ−ＲＳリソースセットをＷＤに構成する様に構成されるチャネル状態情報（ＣＳＩ）構成モジュールと、
を有するネットワークノード。
【０１７１】
実施形態Ｅ２
無線デバイスであって、
チャネル測定のための第１チャネル状態情報−参照信号（ＣＳＩ−ＲＳ）リソースセットと、干渉測定のための第２ＣＳＩ−ＲＳリソースセットの表示を格納する様に構成されたメモリモジュールと、
チャネル測定用の第１ＣＳＩ−ＲＳリソースセット及び干渉測定用の第２ＣＳＩ−ＲＳリソースセットの構成を、ネットワークノードから受信し、第１ＣＳＩ−ＲＳリソースセットのチャネル測定及び第２ＣＳＩ−ＲＳリソースセットの干渉測定に基づきチャネル状態情報（ＣＳＩ）を推定する様に構成される推定モジュールと、
を有する無線デバイス。
【０１７２】
実施形態Ｅ３
ホストコンピュータであって、
実施形態Ａ１及び／又は実施形態Ｃ１の方法のいずれかに関連付けられた情報を、観察、モニタ、制御、送信及び受信することの内の少なくとも１つを行う様に構成される通信モジュールを有する、ホストコンピュータ。
【０１７３】
実施形態Ｆ１
無線ネットワークノードと、１つ以上の無線デバイス（ＷＤ）とを少なくとも有する無線ネットワークにおいてチャネル状態情報（ＣＳＩ）をフィードバックする方法であって、
ネットワークノードによって、チャネル測定用のＮ個のＣＳＩ参照信号（ＣＳＩ−ＲＳ）リソースの第１セット（つまり、第１リソースセット）と、干渉測定用のＭ個のＣＳＩ−ＲＳリソースの第２セット（つまり、第２リソースセット）と、を無線デバイスに構成することと、
無線デバイスによって、第１リソースセットのチャネル測定（構成ステップに記載されているが、推定ステップは構成ステップとは無関係に実行できる）と、第２リソースセットの干渉測定（構成ステップに記載されているが、推定ステップは構成ステップとは無関係に実行できる）と、に基づいてＣＳＩを推定することと、
無線デバイスによって、ＣＳＩ（推定ステップに記載されているが、報告ステップは推定ステップとは無関係に実行できる）及びＣＳＩに関連付けられたＣＳＩ−ＲＳリソースインジケータを報告することと、
の内の１つ以上を含む、方法。
【０１７４】
実施形態Ｆ２
実施形態Ｆ１に記載の方法であって、ＮはＭに等しい、方法。
【０１７５】
実施形態Ｆ３
実施形態Ｆ１及びＦ２のいずれか１つに記載の方法であって、推定することは、Ｎ個のＣＳＩを推定することと、Ｎ個のＣＳＩからＣＳＩを決定することと、をさらに含み、ｎ番目のＣＳＩは、第１リソースセットのｋ番目のＣＳＩ−ＲＳリソースのチャネル測定と、第２リソースセットのｎ番目のＣＳＩ−ＲＳリソースの干渉測定と、に基づく、方法。
【０１７６】
実施形態Ｆ４
実施形態Ｆ１からＦ３のいずれか１つに記載の方法であって、ＣＳＩに関連付けららたＣＳＩ−ＲＳリソースインジケータは、決定されたＣＳＩが推定された第１リソースセット内のＣＳＩ−ＲＳリソースのインデクスであり、セット内の最初のリソースは０のインデクスを有する、方法。
【０１７７】
実施形態Ｆ５
実施形態Ｆ４に記載の方法であって、Ｎ個のＣＳＩの中からＣＳＩを決定することは、最高のスループットを提供するＣＳＩを選択することを含む、方法。
【０１７８】
実施形態Ｆ６
実施形態Ｆ１からＦ５のいずれか１つに記載の方法であって、第１リソースセット内のＮ個のＣＳＩ−ＲＳリソースは同一である、方法。
【０１７９】
実施形態Ｆ７
実施形態Ｆ１及びＦ２のいずれか１つに記載の方法であって、構成することは、Ｎ個のＣＳＩ−ＩＭリソースの第３リソースセットを構成することをさらに含む、方法。
【０１８０】
実施形態Ｆ８
実施形態Ｆ１からＦ７のいずれか１つに記載の方法であって、推定することは、Ｎ個のＣＳＩを推定することをさらに含み、ｎ番目のＣＳＩは、第１リソースセットのｋ番目のＣＳＩ−ＲＳリソースのチャネル測定と、第２リソースセットのｎ番目のＣＳＩ−ＲＳリソース及び第３リソースセットのｎ番目のＣＳＩ−ＩＭリソースの干渉測定と、に基づく、方法。
【０１８１】
実施形態Ｆ９
実施形態Ｆ１に記載の方法であって、Ｎは１に等しい、方法。
【０１８２】
実施形態Ｆ１０
実施形態Ｆ１及びＦ９のいずれか１つに記載の方法であって、方法は、
・オプションａ：第２リソースセットのＣＳＩ−ＲＳリソースで測定された干渉を、単一のＣＳＩ推定のために累積することと、
・オプションｂ：第２リソースセットの各ＣＳＩ−ＲＳリソースで測定された干渉を、個別のＣＳＩ推定に使用することと、
のいずれか１つを示す表示をシグナリングすることをさらに含む、方法。
【０１８３】
実施形態Ｆ１１
実施形態Ｆ１、Ｆ９及びＦ１０のいずれか１つに記載の方法であって、オプションａがシグナリングされる場合、ＣＲＩが報告されない、方法。
【０１８４】
実施形態Ｆ１２
実施形態Ｆ１、Ｆ９及びＦ１０のいずれか１つに記載の方法であって、オプションｂがシグナリングされる場合、それぞれが第２リソースセット内のＣＳＩ−ＲＳリソースに関連付けられるＭ個のＣＳＩが推定される、方法。
【０１８５】
実施形態Ｆ１３
実施形態Ｆ１、Ｆ９、Ｆ１０及びＦ１２のいずれか１つに記載の方法であって、それぞれが第２リソースセット内のＣＳＩ−ＲＳリソースに関連付けられるＭ個のＣＳＩが推定される、方法。
【０１８６】
実施形態Ｆ１４
実施形態Ｆ１、Ｆ９、Ｆ１０及びＦ１３のいずれか１つに記載の方法であって、推定することは、Ｍ個のＣＳＩの中からＣＳＩを決定することをさらに含む、方法。
【０１８７】
実施形態Ｆ１５
実施形態Ｆ１４に記載の方法であって、決定することは、最高のスループットを提供するＣＳＩを選択することを含む、方法。
【０１８８】
実施形態Ｆ１６
実施形態Ｆ１からＦ１４のいずれか１つに記載の方法又は方法のステップを実行する様に構成された処理回路又はモジュールを備えるネットワークノード又は無線デバイス等の装置。
【０１８９】
幾つかの実施形態において、無線ノード、特に端末又はユーザ機器又はＷＤ２２を構成することは、構成に従って動作する様に適合させる、動作させる、設定する、及び／又は、指示される無線ノードを参照し得る。構成することは、別のデバイス、例えば、ネットワークノード１６（例えば、基地局又はｅＮｏｄｅＢの様なネットワークの無線ノード）又はネットワークによって行うことができ、その場合、ネットワークノード又はネットワークは、構成される無線ノードに、構成データを送信することを含み得る。そのような構成データは、構成されるべき構成を表し得る、及び／又は、構成に関連する１つ又は複数の命令、例えば、割り当てられたリソース、特に周波数リソースで送信及び／又は受信するための構成、又は、例えば、特定のサブフレーム又は無線リソースで特定の測定を実行するための構成を含み得る。無線ノードは、例えば、ネットワーク又はネットワークノード１６から受信した構成データに基づいて、それ自体を構成し得る。ネットワークノード１６は、構成するためにその回路を使用する、及び／又は、使用する様に適合され得る。割り当て情報は、構成データの一種と見做し得る。構成データは、構成情報、及び／又は、１つ以上の対応する指示及び／又はメッセージを含み、及び／又は、それらによって表すことができる。
【０１９０】
一般に、幾つかの実施形態において、構成することは、構成を表す構成データを決定すること、及び、提供すること、例えば、１つ又は複数の他のノードに（並列的に及び／又は順次的に）構成データを送信し、それらは、構成データをさらに無線ノード（又は構成データが無線デバイス２２に到達するまで繰り返される別のノード）に送信することができる。あるいは、又はさらに、例えば、ネットワークノード１６又は他のデバイスによって無線ノードを構成することは、構成データ及び／又は構成データに関連するデータを、例えば、ネットワークの上位ノードであり得るネットワークノード１６の様な別のノードから受信し、及び／又は、受信した構成データを無線ノードに送信することを含み得る。従って、構成を決定し、構成データを無線ノードに送信することは、適切なインタフェース、例えば、ＬＴＥの場合のＸ２インタフェース又はＮＲの対応するインタフェースを介して通信できる異なるネットワークノード又はエンティティによって実行され得る。端末（例えば、ＷＤ２２）を構成することは、例えば、ダウンリンクデータ及び／又はダウンリンク制御シグナリング及び／又はＤＣＩ及び／又はアップリンク制御又はデータ又は通信シグナリング、特に確認応答シグナリング、及び／又は、そのためのリソース及び／又はリソースプールの構成といった、端末のためのダウンリンク及び／又はアップリンク送信をスケジューリングすることを含み得る。特に、端末（例えば、ＷＤ２２）を構成することは、本開示の実施形態に従って、特定のサブフレーム又は無線リソースに対して特定の測定を実行する様にＷＤ２２を構成し、そのような測定を報告することを含み得る。
【０１９１】
幾つかの実施形態において、シグナリングは、一般に、少なくとも１つの特定又はジェネリックなターゲット（例えば、シグナリングを拾う可能性のあるもの）に情報を伝達することを意図した、（例えば、時間間隔及び周波数間隔にわたる）電磁波構造を表すと見做され得る。シグナリングのプロセスは、シグナリングを送信することを含み得る。シグナリング、特に、例えば、肯定応答シグナリング及び／又はリソース要求情報を含むか又は表す制御シグナリング又は通信シグナリングを送信することは、符号化及び／又は変調を含み得る。符号化及び／又は変調は、誤り検出符号化及び／又は順方向誤り訂正符号化及び／又はスクランブルを含み得る。制御シグナリングを受信することは、対応する復号及び／又は復調を含み得る。誤り検出符号化は、パリティ、又は、例えば、ＣＲＣ（巡回冗長検査）のチェックサムアプローチを含む、及び／又は、それに基づき得る。順方向誤り訂正符号化は、例えばターボ符号化及び／又はリードマラー符号化、及び／又は、ポーラ符号化、及び／又は、ＬＤＰＣ符号化（低密度パリティ検査）を含み、及び／又は、それらに基づき得る。使用される符号化のタイプは、符号化された信号が関連付けられるチャネル（例えば、物理チャネル）に基づき得る。符号化により誤り検出符号化及び順方向誤り訂正のための符号化ビットが追加されることを考慮し、符号化レートは、符号化前の情報ビット数と符号化後の符号化ビット数の比を表し得る。符号化されたビットは、情報ビット（システマティックビットとも呼ばれる）と符号化ビットの和を参照し得る。
【０１９２】
幾つかの実施形態において、通信シグナリングは、データシグナリング及び／又はユーザプレーンシグナリングを含む、及び／又は、表し、及び／又は、データシグナリング及び／又はユーザプレーンシグナリングとして実行され得る。通信シグナリングは、例えば、物理ダウンリンクチャネル又は物理アップリンクチャネル又は物理サイドリンクチャネル、特にＰＤＳＣＨ（物理ダウンリンク共有チャネル）又はＰＳＳＣＨ（物理サイドリンク共有チャネル）といった、データチャネルに関連付けられ得る。一般に、データチャネルは、共有チャネル又は専用チャネルであり得る。データシグナリングは、データチャネルに関連する及び／又はデータチャネル上にあるシグナリングであり得る。
【０１９３】
幾つかの実施形態において、表示は一般に、それが表す及び／又は示す情報を明示的及び／又は暗黙的に示し得る。暗黙的な表示は、例えば、送信に使用される位置及び／又はリソースに基づき得る。明示的な表示は、例えば、１つ以上のパラメータ、及び／又は、１つ以上のインデクス、及び／又は、情報を表す１つ以上のビットパターンを使用したパラメータ化に基づき得る。本明細書で説明される制御シグナリングは、利用されるリソースシーケンスに基づいて、制御シグナリングタイプを暗黙的に示すと特に考えられ得る。
【０１９４】
当業者には理解される様に、本明細書に記載の概念は、方法、データ処理システム、及び／又は、コンピュータプログラム製品として具現化することができる。従って、本明細書で説明される概念は、完全にハードウェアの実施形態、完全にソフトウェアの実施形態、又は、本明細書で一般に"回路"又は"モジュール"として参照しているソフトウェア及びハードウェアの態様を組み合わせた実施形態の形を取り得る。さらに、本開示は、コンピュータによって実行され得る、媒体内に具現化されたコンピュータプログラムコードを有する有形のコンピュータ使用可能記憶媒体上のコンピュータプログラム製品の形をとることができる。ハードディスク、ＣＤ−ＲＯＭ、電子記憶デバイス、光記憶デバイス、又は、磁気記憶デバイスを含む任意の適切な有形のコンピュータ可読記憶媒体を利用することができる。
【０１９５】
幾つかの実施形態は、方法、システム及びコンピュータプログラム製品のフローチャート図及び／又はブロック図を参照して本明細書で説明される。フローチャート図及び／又はブロック図の各ブロック、ならびにフローチャート図及び／又はブロック図内のブロックの組み合わせは、コンピュータプログラム命令によって実施できることが理解されよう。これらのコンピュータプログラム命令は、汎用コンピュータ（それによって専用コンピュータを作成する）、専用コンピュータ、又は、他のプログラム可能なデータ処理装置のプロセッサに提供されて、コンピュータ又は他のプログラム可能なデータ処理装置のプロセッサを介して命令を実行することで、フローチャート及び／又はブロック図に特定された機能／動作を実施するための手段を作成する。
【０１９６】
これらのコンピュータプログラム命令は、また、コンピュータ可読メモリ又は可読媒体に格納され、コンピュータ又は他のプログラム可能なデータ処理装置に特定の方法で機能する様に指示することができ、コンピュータ可読メモリに格納された命令は、フローチャート及び／又はブロック図において特定された機能／動作を実施する命令手段を含む製造品を作り出す。
【０１９７】
また、コンピュータプログラム命令は、コンピュータ又は他のプログラム可能なデータ処理装置にロードされて、コンピュータ又は他のプログラム可能な装置上で実行される一連の動作ステップによって、コンピュータ上で実行される命令が実行され、コンピュータ又は他のプログラム可能な装置が実行する命令は、フローチャート及び／又はブロック図で特定された機能／動作を実施するためのステップを提供する。
【０１９８】
ブロックに示されている機能／動作は、動作説明図に示されている順序とは異なる順序で行われてもよいことを理解されたい。例えば、関連する機能／動作に応じて、連続して示されている２つのブロックが実際には実質的に同時に実行されてもよく、あるいはブロックが逆の順序で実行されてもよい。図の幾つかは、通信の主方向を示すために通信経路上に矢印を含むが、通信は、描かれた矢印と反対方向に起こり得ることを理解されたい。
【０１９９】
本明細書に記載の概念の動作を実行するためのコンピュータプログラムコードは、Ｊａｖａ（登録商標）又はＣ＋＋などのオブジェクト指向プログラミング言語で書くことができる。しかしながら、本開示の動作を実行するためのコンピュータプログラムコードは、"Ｃ"プログラミング言語などの従来の手続き型プログラミング言語で書かれてもよい。プログラムコードは、完全にユーザのコンピュータ上、部分的にユーザのコンピュータ上、単独のソフトウェアパッケージとして、部分的にユーザのコンピュータ上、そして部分的にリモートコンピュータ上で、又は全体的にリモートコンピュータ上で実行することができる。後者のシナリオでは、リモートコンピュータは、ローカルエリアネットワーク（ＬＡＮ）又はワイドエリアネットワーク（ＷＡＮ）を介してユーザのコンピュータに接続することができ、又は（例えば、インターネットサービスプロバイダの使用によるインターネットを介して）接続することができる。
【０２００】
上記の説明及び図面に関連して、多くの異なる実施形態が本明細書に開示されている。これらの実施形態のあらゆる組み合わせ及び部分的な組み合わせを文字通りに説明及び例示することは、過度に反復的で分かりにくくなることが理解されよう。従って、総ての実施形態は任意の方法及び／又は組み合わせで組み合わせることができ、図面を含む本明細書は、本明細書に記載の実施形態の総ての組み合わせ及びサブコンビネーションならびに方法及びプロセスの完全な書面による説明を構成すると解釈され、そしてそれらを作成し使用することの可能性があり、そのような組み合わせ又はサブコンビネーションに対する主張を裏付けるものとする。
【０２０１】
本明細書に記載の実施形態は、本明細書の上記に特に示され記載されたものに限定されないことが当業者によって理解されるであろう。さらに、そうでないことが上記で言及されていない限り、添付の図面の総てが一定の縮尺ではないことに留意されたい。
【０２０２】
添付の特許請求の範囲から逸脱することなく、上記の教示に照らして様々な修正形態及び変形形態が可能である。
【図１】
2021521662.tif 000005
【図２】
2021521662.tif 000006
【図３】
2021521662.tif 000007
【図４】
2021521662.tif 000008
【図５】
2021521662.tif 000009
【図６】
2021521662.tif 000010
【図７】
2021521662.tif 000011
【図８】
2021521662.tif 000012
【図９】
2021521662.tif 000013
【図１０】
2021521662.tif 000014
【図１１】
2021521662.tif 000015
【図１２】
2021521662.tif 000016
【図１３】
2021521662.tif 000017
【図１４】
2021521662.tif 000018
【図１５】
2021521662.tif 000019
【図１６】
2021521662.tif 000020
【図１７】
2021521662.tif 000021
【図１８】
2021521662.tif 000022
【図１９】
2021521662.tif 000023
【図２０】
2021521662.tif 000024
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
無線デバイス（ＷＤ）（２２）で実行される方法であって、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を受信（Ｓ１３８）することであって、前記第１ＮＺＰ  ＣＳＩ−ＲＳリソースセットは、１つのＮＺＰ  ＣＳＩ−ＲＳリソースのみを含み、前記第２ＮＺＰ  ＣＳＩ−ＲＳリソースセットは、１つ又は複数のＮＺＰ  ＣＳＩ−ＲＳリソースを含む、前記受信（Ｓ１３８）することと、
前記第１ＮＺＰ  ＣＳＩ−ＲＳリソースセット及び前記第２ＮＺＰ  ＣＳＩ−ＲＳリソースセットに基づいてＣＳＩを測定（Ｓ１４０）することであって、前記ＣＳＩの測定は、前記第２ＮＺＰ  ＣＳＩ−ＲＳリソースセット内の前記ＮＺＰ  ＣＳＩ−ＲＳリソースそれぞれで測定された総ての干渉の累積に少なくとも部分的に基づく、前記測定（Ｓ１４０）することと、
を含む方法。
【請求項２】
請求項１に記載の方法であって、
前記ＣＳＩは、単一のＣＳＩ推定である、方法。
【請求項３】
請求項１に記載の方法であって、さらに、
ＣＳＩ−ＲＳリソースインデクス（ＣＲＩ）を報告すること無く、前記ＣＳＩを報告することを含む、方法。
【請求項４】
請求項１に記載の方法であって、さらに、
前記ＣＳＩを報告することを含む、方法。
【請求項５】
処理回路（８４）を備えた無線デバイス（ＷＤ）（２２）であって、
前記処理回路（８４）は、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を受信することであって、前記第１ＮＺＰ  ＣＳＩ−ＲＳリソースセットは、１つのＮＺＰ  ＣＳＩ−ＲＳリソースのみを含み、前記第２ＮＺＰ  ＣＳＩ−ＲＳリソースセットは、１つ又は複数のＮＺＰ  ＣＳＩ−ＲＳリソースを含む、前記受信することと、
前記第１ＮＺＰ  ＣＳＩ−ＲＳリソースセット及び前記第２ＮＺＰ  ＣＳＩ−ＲＳリソースセットに基づいてＣＳＩを測定することであって、前記ＣＳＩの測定は、前記第２ＮＺＰ  ＣＳＩ−ＲＳリソースセット内の前記ＮＺＰ  ＣＳＩ−ＲＳリソースそれぞれで測定された総ての干渉の累積に少なくとも部分的に基づく、前記測定することと、
を行う様に構成される、ＷＤ。
【請求項６】
請求項５に記載のＷＤ（２２）であって、
前記ＣＳＩは、単一のＣＳＩ推定である、ＷＤ。
【請求項７】
請求項５に記載のＷＤ（２２）であって、
前記処理回路（８４）は、さらに、ＣＳＩ−ＲＳリソースインデクス（ＣＲＩ）を報告すること無く、前記ＣＳＩを報告する様に構成される、ＷＤ。
【請求項８】
請求項５に記載のＷＤ（２２）であって、
前記処理回路（８４）は、さらに、前記ＣＳＩを報告する様に構成される、ＷＤ。
【請求項９】
ネットワークノードで実行される方法であって、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を送信（Ｓ１３４）することであって、前記第１ＮＺＰ  ＣＳＩ−ＲＳリソースセットは、１つのＮＺＰ  ＣＳＩ−ＲＳリソースのみを含み、前記第２ＮＺＰ  ＣＳＩ−ＲＳリソースセットは、１つ又は複数のＮＺＰ  ＣＳＩ−ＲＳリソースを含む、前記送信（Ｓ１３４）することと、
前記第１ＮＺＰ  ＣＳＩ−ＲＳリソースセット及び前記第２ＮＺＰ  ＣＳＩ−ＲＳリソースセットと、前記第２ＮＺＰ  ＣＳＩ−ＲＳリソースセット内の前記ＮＺＰ  ＣＳＩ−ＲＳリソースそれぞれで測定された総ての干渉の累積と、に少なくとも部分的に基づくＣＳＩをＷＤから受信（Ｓ１３６）することと、
を含む方法。
【請求項１０】
請求項９に記載の方法であって、
前記ＣＳＩは、単一のＣＳＩ推定である、方法。
【請求項１１】
請求項９又は１０に記載の方法であって、
前記ＣＳＩは、ＣＳＩ−ＲＳリソースインデクス（ＣＲＩ）の報告無しに受信される、方法。
【請求項１２】
処理回路（６８）を含むネットワークノード（１６）であって、
前記処理回路（６８）は、
チャネル測定のための第１非ゼロ電力チャネル状態情報−参照信号（ＮＺＰ  ＣＳＩ−ＲＳ）リソースセットと、干渉測定のための第２ＮＺＰ  ＣＳＩ−ＲＳリソースセットと、を含む、チャネル状態情報（ＣＳＩ）測定のための構成を無線デバイス（ＷＤ）（２２）に送信することであって、前記第１ＮＺＰ  ＣＳＩ−ＲＳリソースセットは、１つのＮＺＰ  ＣＳＩ−ＲＳリソースのみを含み、前記第２ＮＺＰ  ＣＳＩ−ＲＳリソースセットは、１つ又は複数のＮＺＰ  ＣＳＩ−ＲＳリソースを含む、前記送信することと、
前記第１ＮＺＰ  ＣＳＩ−ＲＳリソースセット及び前記第２ＮＺＰ  ＣＳＩ−ＲＳリソースセットと、前記第２ＮＺＰ  ＣＳＩ−ＲＳリソースセット内の前記ＮＺＰ  ＣＳＩ−ＲＳリソースそれぞれで測定された総ての干渉の累積と、に少なくとも部分的に基づくＣＳＩを前記ＷＤから受信することと、
を行う様に構成される、ネットワークノード。
【請求項１３】
請求項１２に記載のネットワークノードであって、
前記ＣＳＩは、単一のＣＳＩ推定である、ネットワークノード。
【請求項１４】
請求項１２又は１３に記載のネットワークノードであって、
前記ＣＳＩは、ＣＳＩ−ＲＳリソースインデクス（ＣＲＩ）の報告無しに受信される、ネットワークノード。
【国際調査報告】
2021521662.tif 000025
2021521662.tif 000026
2021521662.tif 000027